(57)【要約】【課題】  対象物を光ストライプで照射し、対象物表面から反射した光を検出することで、対象物の表面上の複数の点からデータを捕捉するための走査プローブ（２）に関する。走査プローブは、（ａ）光ストライプ（５５）を生成および発するためのストライプ生成手段（１４）、（ｂ）対象物表面から反射した光ストライプを検出するための画素の配列を有する画像センサを備えるカメラ（１６）、（ｃ）カメラ（１６）によって検出された強度に応じて、フレームの取得中に光ストライプ（５５）の強度を調節するための手段を備える。ストライプ長を修正する手段、処理手段のための隔離された区分室、およびスキャナのための取り付け可能なダストカバーを有するスキャナにも関する。【選択図】  図２
2009534969.tif 000002
【特許請求の範囲】
【請求項１】
対象物を光ストライプで照射し、かつ該対象物表面から反射した光を検出することで、該対象物の表面上の複数の点からデータを捕捉するための走査プローブ（２）であって、以下を備える走査プローブ：
（ａ）光ストライプ（５５）を生成および発するストライプ生成手段（１４）；
（ｂ）該対象物表面から反射した光ストライプを検出するための画素の配列を有する画像センサを備えるカメラ（１６）；
（ｃ）該カメラ（１６）により検出された強度に応じて、単一のフレームの取得中に該光ストライプ（５５）の強度を調節するための手段。
【請求項２】
請求項１に記載の走査プローブ（２）が：
−異なる時間において異なる一部の画像センサ画素が、該フレームの取得中に、該ストライプからの反射した光を検出するように該カメラ（１６）および／またはストライプ生成手段（１４）が構成され、該異なる一部が、該検出された光ストライプ上の異なる位置に対応し、
−該光の強度を調節するための手段が、該一部の画素によって検出された強度に応じて、該フレームの取得中に強度を調節するように構成される、走査プローブ。
【請求項３】
該画像センサがロールシャッターを備えたＣＭＯＳである、請求項２に記載の走査プローブ（２）が：
−異なる時間において異なる一部の該センサ画素が、該フレームの取得中に該ストライプからの反射した光を検出するように、該ロールシャッターが構成されており、該異なる一部が、該検出された光ストライプ上の異なる位置に対応する、および
−該一部の画素によって検出された強度に応じて、該ストライプ生成手段（１４）が、該ストライプの長手方向に亘って一定強度のストライプを生成するように構成されており、その全体の強度が該フレームの取得中に調節可能である、走査プローブ。
【請求項４】
該ストライプ生成手段（１４）が、静止光学系（ｓｔａｔｉｃ  ｏｐｔｉｃｓ）を備える、請求項１〜３のいずれかに記載の走査プローブ（２）。
【請求項５】
該ストライプ生成手段（１４）が、レーザーおよび中実円筒光学系（ｓｏｌｉｄ  ｃｙｌｉｎｄｒｉｃａｌ  ｏｐｔｉｃｓ）を備える、請求項１〜４のいずれかに記載の走査プローブ（２）。
【請求項６】
該ストライプ生成手段（１４）が、レーザーおよびマイクロミラーアレイを備える、請求項１〜４のいずれかに記載の走査プローブ（２）。
【請求項７】
該光の強度を調節するための手段が、各一部の画素についての該強度を、以下に応じて設定するように配列されている、請求項２〜６のいずれかに記載の走査プローブ（２）：
−少なくとも１つ前に投影された光ストライプについて、該一部における該画素（単数または複数）によって検出された光、および
−少なくとも１つ前に投影された光ストライプにおいて、該一部について発した該光の強度。
【請求項８】
−該ストライプ生成手段（１４）が、単一のフレームの取得中にその個別の強度が調節可能である複数のスポットを備えるストライプ（５５）を生成するように、構成されており、および
−異なる時間において、該異なる一部のセンサ画素が該フレームの取得中に該ストライプから反射した光を検出するように、該スポットが別々に投影され、該異なる一部が、該検出された光ストライプ上の異なる位置に対応し、
−該個別のスポット強度が、該一部の画素によって検出された強度に応じて調節される、請求項１または２に記載の走査プローブ（２）。
【請求項９】
該ストライプ生成手段（１４）が、レーザーおよびマイクロミラーアレイを備える、請求項８に記載の走査プローブ（２）。
【請求項１０】
該ストライプ生成手段（１４）が、可動光学系（ｍｏｖｉｎｇ  ｏｐｔｉｃｓ）を備える、請求項８のいずれかに記載の走査プローブ（２）。
【請求項１１】
該ストライプ生成手段（１４）が、レーザーおよび可動ミラーを備える、請求項１０に記載の走査プローブ（２）。
【請求項１２】
該画像センサが、ロールシャッターを備えたＣＭＯＳ、またはＣＣＤである、請求項８〜１１のいずれかに記載の走査プローブ（２）。
【請求項１３】
該光の強度を調節するための手段が、各一部の画素について投影されたストライプ内でスポットの強度を、以下に応じて設定するように配列されている、請求項８〜１２のいずれかに記載の走査プローブ（２）：
−該ストライプにおける少なくとも１つ前に投影されたスポットについて、該一部における該画素（単数または複数）によって検出された光、および
−該ストライプにおける少なくとも１つ前に投影されたスポットにおいて、該一部について発した光の強度。
【請求項１４】
該一部について設定された光強度に応じて、該一部の画素についての露光時間を調節するための手段をさらに備える、請求項２〜１３のいずれかに記載の走査プローブ（２）。
【請求項１５】
光ストライプで対象物を照射し、該対象物表面から反射した光を検出することで、該対象物の表面上の複数の点からデータを捕捉する方法であって、以下を含む方法：
（ａ）光ストライプを生成および発すること；
（ｂ）画素の配列を備える画像センサを使用して、該対象物表面から反射した該光ストライプを検出すること、
（ｃ）該画素によって検出された光の強度に応じて、単一のフレームの取得中に該光の強度を調節すること。
【請求項１６】
−異なる時間において異なる一部の画像センサ画素が、該フレームの取得中に該ストライプからの反射した光を検出し、該異なる一部が該検出された光ストライプ上の異なる位置に対応し、各一部における該画素（単数または複数）によって検出された該光を決定し；および
−該フレームの取得中に該光の強度が、該一部の画素によって検出された光の強度に応じて調節される、請求項１５に記載の方法。
【請求項１７】
異なる時間において異なる一部のセンサ画素が、該フレームの取得中に該ストライプから反射した光を検出可能とするロールシャッターを備えたＣＭＯＳ画像センサを使用して、該ストライプが検出されることにより、該異なる一部が該検出された光ストライプ上の異なる位置に対応し、および
−該ストライプ生成手段が、該ストライプの長手方向に亘って一定強度のストライプを生成し、その全体の強度が単一のフレームの取得中に調節される、
請求項１５または１６に記載の方法。
【請求項１８】
該ストライプ生成手段が静止光学系を備える、請求項１７に記載の方法。
【請求項１９】
該ストライプ生成手段が、レーザーおよび中実円筒光学系を備える、請求項１７または１８に記載の走査プローブ。
【請求項２０】
該ストライプ生成手段が、レーザーおよびマイクロミラーアレイを備える、請求項１７または１８に記載の走査プローブ。
【請求項２１】
各一部の画素について該強度を、以下に応じて設定することにより、該光の強度がさらに調節される、請求項１７〜２０のいずれかに記載の方法：
−少なくとも１つ前に投影された光ストライプについて該一部における画素（単数または複数）によって検出された光、および
−少なくとも１つ前に投影された光ストライプにおいて該一部について発した該光の強度。
【請求項２２】
−単一のフレームの取得中にその個別の強度が調節可能である複数のスポットを備えるストライプを、該ストライプ生成手段が生成し、および
−異なる時間において異なる一部のセンサ画素が、該フレームの取得中に該ストライプから反射した光を検出するように、該スポットが別々に投影され、該異なる一部が、該検出された光ストライプ上の異なる位置に対応し、
−該個別のスポット強度が、該一部の画素によって検出された強度に応じて調節される、請求項１５または１６に記載の方法。
【請求項２３】
該ストライプ生成手段が、レーザーおよびマイクロミラーアレイを備える、請求項２２に記載の方法。
【請求項２４】
該ストライプ生成手段（１４）が、可動光学系を備える、請求項２２に記載の方法。
【請求項２５】
該ストライプ生成手段が、レーザーおよび可動ミラーを備える、請求項２４に記載の方法。
【請求項２６】
該画像センサが、ロールシャッターを備えたＣＭＯＳカメラ、またはＣＣＤである、請求項２２〜２５のいずれかに記載の方法。
【請求項２７】
各一部の画素について投影されたストライプ内で該光の強度を、以下に応じて設定することにより、該光の強度がさらに調節される、請求項２２〜２６に記載の方法：
−該ストライプにおいて少なくとも１つ前に投影されたスポットについて該一部において該画素（単数または複数）によって検出された光、および
−該ストライプにおいて少なくとも１つ前に投影されたスポットにおいて該一部について発した光の出力。
【請求項２８】
該一部について設定された該光出力に応じて、該一部の画素について該露光時間を調節することをさらに備える、請求項１５〜２７のいずれかに記載の方法。
【請求項２９】
光ストライプで対象物を照射し、かつ該対象物表面から反射した光を検出することにより、該対象物の表面上の複数の点からデータを捕捉するための走査プローブであって、以下を備える走査プローブ：
（ａ）光ストライプを生成するためのストライプ生成手段；
（ｂ）該対象物表面から反射した光ストライプを検出するための画像センサ；および
（ｃ）該ストライプ生成手段によって生成された光ストライプが発せられる開口であって、該開口がその異なる幅に設定されるとき、異なる長さの光ストライプが生成されるように、該光ストライプが通過しなければならない第１の幅の開口および第２の幅の開口を提供するように変更できる開口。
【請求項３０】
該開口が、非円形状であり、該第１および第２の幅の開口を提供するために該光ストライプに対する回転により変更できる、請求項２９に記載の走査プローブ。
【請求項３１】
該開口が手動で変更できる、請求項２９または３０に記載の走査装置。
【請求項３２】
該開口が該第１の幅かまたは該第２の幅のいずれかに設定されていることを検出するための手段；および
該決定された幅に応じて、該画像センサの検出フレームレートを設定するための手段、
をさらに備える、請求項３１に記載の走査装置。
【請求項３３】
ユーザー入力指示に応答して、該開口を変更するための手段をさらに備える、請求項２９または３０に記載の走査装置。
【請求項３４】
該ユーザー入力指示に応じて、該画像センサの検出フレームレートを設定するための手段をさらに備える、請求項３３に記載の走査装置。
【請求項３５】
対象物を光で照射し、該対象物表面から反射した光を検出することで、該対象物の表面の複数の点からデータを捕捉するための走査プローブであって、以下を備える走査プローブ：
（ａ）光を生成および発するための光生成手段；
（ｂ）該対象物表面から反射した光を検出するための画像センサ；および
（ｃ）該画像センサからの信号を処理するように作動可能であるデータ処理手段；
であって、該光生成手段および該画像センサから隔離された区分室に設置されているデータ処理手段。
【請求項３６】
該画像センサおよび該データ処理手段が第１の筐体に設置され、該光生成手段が隔離された第２の筐体に設置され、該第１および第２の筐体は共に堅固に接続されている、請求項３５に記載の走査プローブ。
【請求項３７】
該データ処理手段を該画像センサから熱的に絶縁する高い熱耐性を有する障壁によって、該データ処理手段の区分室が該画像センサから隔離されている、請求項３６に記載の走査プローブ。
【請求項３８】
該光生成手段、該画像センサ、および該データ処理手段が、単一の筐体に設置されており、該光生成手段および該画像センサから、該データ処理手段を熱的に絶縁するため、高い熱耐性を有する障壁によって、該データ処理手段の区分室が、該光生成手段および該画像センサから隔離されている、請求項３５に記載の走査プローブ。
【請求項３９】
該データ処理手段を含む該区分室が、空気入口、空気出口、ならびに該空気入口を介して該区分室に空気を引き、および該空気出口を介して該区分室から空気を出すために配置されたファンを有する、請求項３５〜３８のいずれかに記載の走査プローブ。
【請求項４０】
対象物を光で照射し、該対象物表面から反射した光を検出することで、該対象物の表面上の複数の点からデータを捕捉するための走査プローブであって、以下を備える走査プローブ：
（ａ）光を生成および発するための光生成手段；
（ｂ）撮像ウィンドウを介して、該対象物表面から反射した光を検出するための複数の画素を有する画像センサ；および
（ｃ）バイザーが該撮像ウィンドウをカバーする閉位置およびバイザーが該撮像ウィンドウをカバーしない開位置の間で移動可能であるバイザー。
【請求項４１】
該バイザーが該閉位置にあるときに検出するための手段および該バイザーが該閉位置にあることが検出されるとき該プローブの動作を抑制するための手段をさらに備える、請求項４０に記載の走査プローブ。
【請求項４２】
該バイザーが該閉位置にあるときに検出するための手段および該バイザーが該閉位置にあることが検出されるとき該ユーザーに警告するための手段をさらに備える、請求項４０に記載の走査プローブ。
【請求項４３】
それぞれ該開位置および該閉位置において該バイザーをロックするための手段をさらに備える、請求項４０〜４２のいずれかに記載の走査プローブ。
【発明の詳細な説明】
【技術分野】
【０００１】
本発明は、非接触光学走査に関する。
【背景技術】
【０００２】
走査プローブ
走査プローブは、３Ｄ面形状の対象物上で１秒に何千点も計測する非接触光学プローブである。大まかに３つのタイプの走査プローブ（点、ストライプ、および領域）が存在する。本発明はストライプ走査プローブに関する。大部分のストライプ走査プローブは、光学三角測量の原理を使用する。ストライプ走査プローブは、Metris（ベルギー）、3D Scanners（英国）、Romer（フランス）、Faro Technologies（米国）、Perceptron（米国）、Steinbichler（ドイツ）、Pulstec（日本）、Micro Epsilon（ドイツ）、SICK IVP（ドイツ）、Vitana（カナダ）、Laser Design（米国）、Datapixel（スペイン）、Optimet（イスラエル）、およびKreon（フランス）他によって提供または開発されている。
【０００３】
ストライプ走査プローブの動き
対象物の表面を走査するため、ストライプ走査プローブは、表面塗装用ペンキ刷毛の使用のされ方に似た方法で対象物の表面の上で動く必要がある。ストライプ走査プローブの動きは、手動または自動装置で達成され得る。
【０００４】
ストライプ走査プローブ用ローカライザー（位置決め器）
対象物の表面の正確なデータを得るためには、表面データがストライプ走査プローブによって捕捉されるとき、ストライプ走査プローブの位置と方向を登録するためのローカライザーが必要である。ローカライザーは、一般的には機械的またはリモートである。ローカライザーは、プローブを支持し／動かし、ならびにその位置および方向を提供する二機能を有することもできる。機械的ローカライザーには、３軸直交座標測定機械（ｃｏｒｄｉｎａｔｅ  ｍｅａｓｕｒｅｍｅｎｔ  ｍａｃｈｉｎｅｓ：ＣＭＭｓ）、手動ＣＭＭアーム（Manual CMM arms）、ロボットＣＭＭアーム（Robot CMM arms）、およびベース端に対するプローブ端の位置と方向を正確に登録できる実質的に全タイプの組み合わせの連続する機械的リンケージが含まれ、ストライプ走査プローブは、プローブ端にしっかりと取り付けられる。リモートローカライザーには、光学追跡装置、光学ＣＭＭ、磁気追跡装置、およびＧＰＳシステムが含まれる。リモートローカライザーは、ストライプ走査プローブとリモートローカライザー装置との間でしばしば１以上の視線を必要とする。
【０００５】
１９７０年代から、企業は、手動で操作可能なＣＭＭアームを構築してきており、最近では、主に手動ＣＭＭアームのリーチに依存して、０．０２５ｍｍ（＋／−２シグマ）および０．００５ｍｍ（＋／−２シグマ）の間の接触プローブを使用した計測精度を達成した。手動ＣＭＭアームは、さらなる開発により一層正確になるものと期待されている。このような手動ＣＭＭアームは、多くの測定要求に対して現在充分に正確であり、計測市場で成長しているセクターである。それらは、アクセスが困難な領域に入り込むことができる融通性を有している。手動ＣＭＭアームは、数多くの適用で精度が期待に添っているが、自動化されておらず、特に、ある程度熟練したオペレータが必要であるため操作に費用がかかり、人間のオペレータは、人的ミスをすることもある。手動ＣＭＭアームは、Hexagon Cimcore (米国)、 Faro Technologies (米国)、 Hexagon Romer (フランス)、 Zett Mess Technik (ドイツ)および Tokyo Boeki (日本)等の企業によって提供されている。例として、Eatonの米国特許第3,994,798号（特許文献１）、Faro Technologiesに譲渡されたRaabの米国特許第5,402,582号（特許文献２）、Eatonの米国特許第5,829,148号（特許文献３）および Faro Technologiesに譲渡されたRaabの米国特許第6,366,831号（特許文献４）が、手動ＣＭＭアームの背景情報を開示している。
【０００６】
手動ＣＭＭアームのストライプ走査プローブ
手動ＣＭＭアームのストライプ走査プローブは、PCT/GB96/01868（特許文献５）等のいくつかの特許出願で本発明の発明者であるCramptonによって開示された。手動ＣＭＭアーム用ストライプ走査プローブは、例えば、Metris, 3D Scanners, Romer, Faro Technologies, Perceptron, Steinbichler, Pulstec および Kreon他によって提供され、または開発されている。これまでのところ、ストライプ走査プローブについて、精度が計測されるべき方法を規定する計測精度基準が存在していない。実際的な方法で精度を確認し、走査プローブタイプ間の比較ができる標準テストをすることができない状況に市場はある。ストライプ走査プローブは、主にはその計測範囲が短いことにより正確になってきている。概ね、ストライプ走査プローブは、ほぼ２０−４００ｍｍ程度の計測範囲にわたって計測データを集める。これは、しばしば手動ＣＭＭアームの端部から離れてなされる。最良のストライプ走査プローブと組み合わされた最良の手動ＣＭＭアームの精度は、短い計測範囲については、既に０．０５０ｍｍ（＋／−２シグマ）より良く、０．０１０ｍｍ（＋／−２シグマ）より良いこともある。ストライプ走査プローブは、通常、手動ＣＭＭアームの側部にずらせて取り付けられるか、またはそのプローブ端に取り付けられる。ストライプ走査プローブは、好ましい程度の精度に機械的に再現可能な取り付けシステムを使用して、通常、迅速に手動ＣＭＭアームから取り外しできる。
【０００７】
ロボットＣＭＭアームとストライプ走査プローブを伴うその使用については、PCT/GB2004/001827（特許文献６）等のいくつかの特許出願において本発明の発明者であるCramptonによって開示された。ロボットＣＭＭアームは、ストライプ走査プローブを自動的に支持して動かすという、手動ＣＭＭアームに勝る利点を有する。手動ＣＭＭアームとロボットＣＭＭの両方は、直交ＣＭＭの関節に勝る利点を有する。
【０００８】
マーケットニーズ
精度：ユーザーは、ストライプ走査プローブからかつて無い程高い精度とデータ品質を要求している。
スピード：表面が走査されるときサンプリングされる。表面再構築または計測の品質と自動化は、走査される生の点の数と密度に関係する。市場における最新センサの走査速度は、典型的には毎秒３，０００点から２０，０００点である。毎秒２００，０００点を超える速度は、データ捕捉時間および処理作業後における人手の介在の両方を減らすことにより、ストライプ走査プローブの生産性を高めるであろう。
配線：少ない配線のストライプ走査プローブは、配線が多いストライプ走査プローブより有用性が高い。配線は、ＣＭＭのコストのうち益々増加する部分である。
小型化：組み込み加工され、別ボックスの電子部品および関連配線が無いストライプ走査プローブを提供することが望ましい。
コスト：市場はさらに競合的となりつつあり、ストライプ走査プローブの製造コストを下げるため、配線、部品の削減が望ましい。
【特許文献１】米国特許第3,994,798号明細書
【特許文献２】米国特許第5,402,582号明細書
【特許文献３】米国特許第5,829,148号明細書
【特許文献４】米国特許第6,366,831号明細書
【特許文献５】PCT/GB96/01868
【特許文献６】PCT/GB2004/001827
【発明の開示】
【発明が解決しようとする課題】
【０００９】
現況
市場の大部分のストライプ走査プローブは、アナログであり、ビデオＣＣＤ画像センサを使用している。この最新技術の映像技術では、精度、データ品質、速度、コスト、小型化という問題解決を制限していた。
【課題を解決するための手段】
【００１０】
本発明の実施形態の要旨
本発明の一実施形態は、対象物を光ストライプで照射および対象物表面から反射した光を検出することにより、対象物の表面上の複数の点からデータを捕捉するための走査プローブ（２）に関し、以下を備える：
（ａ）光ストライプ（５５）を生成および発するストライプ生成手段（１４）；
（ｂ）対象物表面から反射した光ストライプを検出するための画素の配列を有する画像センサを備えるカメラ（１６）；
（ｃ）カメラ（１６）により検出された強度に応じて、単一のフレームの取得中に光ストライプ（５５）の強度を調節するための手段。
【００１１】
本発明の別の実施形態は、上述の走査プローブ（２）に関し：
−異なる時間において異なる一部の画像センサ画素が、フレームの取得中にストライプから反射した光を検出するようにカメラ（１６）および／またはストライプ生成手段（１４）が構成されており、異なる一部が、検出された光ストライプの異なる位置に対応し、
−光の強度を調節するための手段が、一部の画素によって検出された強度に応じて、
フレームの取得中に強度を調節するように構成されている。
【００１２】
本発明の別の実施形態は、上述の走査プローブ（２）に関し、画像センサがロールシャッターを備えたＣＭＯＳであることにより：
−異なる時間において異なる一部のセンサ画素が、フレームの取得中にストライプから反射した光を検出するように、ロールシャッターが構成されており、異なる一部が、検出されたストライプ上の異なる位置に対応し、および
−一部の画素によって検出された強度に応じて、ストライプ生成手段（１４）が、ストライプの長手方向に亘って一定強度のストライプを生成するように構成されており、その全体の強度がフレームの取得中に調節可能である。
【００１３】
本発明の別の実施形態は、上述の走査プローブ（２）に関し、ストライプ生成手段（１４）が、静止光学系（ｓｔａｔｉｃ  ｏｐｔｉｃｓ）を備える。
【００１４】
本発明の別の実施形態は、上述の走査プローブ（２）に関し、ストライプ生成手段（１４）が、レーザーおよび中実円筒光学系（ｓｏｌｉｄ  ｃｙｌｉｎｄｒｉｃａｌ  ｏｐｔｉｃｓ）を備える。
【００１５】
本発明の別の実施形態は、上述の走査プローブ（２）に関し、ストライプ生成手段（１４）が、レーザーおよびマイクロミラーアレイを備える。
【００１６】
本発明の別の実施形態は、上述の走査プローブ（２）に関し、光の強度を調節するための手段が、各一部の画素についての強度を、以下に応じて設定するように配列されている：
−少なくとも１つ前に投影された光ストライプについて、一部における画素（単数または複数）によって検出された光、および
−少なくとも１つ前に投影された光ストライプにおいて、一部について発した光の強度。
【００１７】
本発明の別の実施形態は、上述の走査プローブ（２）に関し：
−単一のフレームの取得中にその個別の強度が調節可能である複数のスポットを備えるストライプ（５５）を生成するように、ストライプ生成手段（１４）が構成されており、
−異なる時間において、異なる一部のセンサ画像がフレームの取得中にストライプから反射した光を検出するように、スポットが別々に投影され、異なる一部が光ストライプ上の異なる位置に対応しており、
−個別のスポット強度が、一部の画素によって検出された強度に応じて調節される。
【００１８】
本発明の別の実施形態は、上述の走査プローブ（２）に関し、ストライプ生成手段（１４）が、レーザーおよびマイクロミラーアレイを備える。
【００１９】
本発明の別の実施形態は、上述の走査プローブ（２）に関し、ストライプ生成手段（１４）が、可動光学系（ｍｏｖｉｎｇ  ｏｐｔｉｃｓ）を備える。
【００２０】
本発明の別の実施形態は、上述の走査プローブ（２）に関し、ストライプ生成手段（１４）が、レーザーおよび可動ミラーを備える。
【００２１】
本発明の別の実施形態は、上述の走査プローブ（２）に関し、画像センサが、ロールシャッターを備えたＣＭＯＳまたはＣＣＤである。
【００２２】
本発明の別の実施形態は、上述の走査プローブ（２）に関し、光の強度を調節するための手段が、各一部の画素について投影されたストライプ内でスポットの強度を、以下に応じて設定するように配列されている：
−ストライプにおける少なくとも１つ前に投影されたスポットについて、一部における画素（単数または複数）によって検出された光、および
−ストライプにおける少なくとも１つ前に投影されたスポットにおいて、一部について発した光の強度。
【００２３】
本発明の別の実施形態は、上述の走査プローブ（２）に関し、一部について設定された光強度に応じて、一部の画素についての露光時間を調節するための手段をさらに備える。
【００２４】
本発明の別の実施形態は、光ストライプで対象物を照射し、対象物表面から反射した光を検出することで、対象物の表面上の複数の点からデータを捕捉する方法に関し、以下を含む方法：
（ａ）光ストライプを生成および発する；
（ｂ）画素の配列を備える画像センサを使用して、対象物表面から反射した光ストライプを検出する、
（ｃ）画素によって検出された光の強度に応じて、単一のフレームの取得中に光の強度を調節する。
【００２５】
本発明の別の実施形態は、上述の方法に関し：
−異なる時間において異なる一部の画像センサ画素が、該フレームの取得中に該ストライプから反射した光を検出し、該異なる一部が該検出された光ストライプ上の異なる位置に対応し、各一部における該画素（単数または複数）によって検出された該光を決定し；および
−フレームの取得中に光の強度が、一部の画素によって検出された光の強度に応じて調節される。
【００２６】
本発明の別の実施形態は、上述の方法に関し、異なる時間において異なる一部のセンサ画素が該フレームの取得中に該ストライプから反射した光を検出可能とする、ロールシャッターを備えたＣＭＯＳ画像センサを使用して該ストライプが検出され、該異なる一部が該検出された光ストライプ上の異なる位置に対応し、および
−ストライプ生成手段が、ストライプの長手方向に亘って一定強度のストライプを生成し、その全体の強度が単一のフレームの取得中に調節される。
【００２７】
本発明の別の実施形態は、上述の方法に関し、ストライプ生成手段が静止光学系を備える。
【００２８】
本発明の別の実施形態は、上述の方法に関し、ストライプ生成手段が、レーザーおよび中実円筒光学系を備える。
【００２９】
本発明の別の実施形態は、上述の方法に関し、ストライプ生成手段が、レーザーおよびマイクロミラーアレイを備える。
【００３０】
本発明の別の実施形態は、上述の方法に関し、以下に応じて設定することにより、光の強度がさらに調節される：
−各一部の画素について強度を、少なくとも１つ前に投影された光ストライプについて一部における画素（単数または複数）によって検出された光、および
−少なくとも１つ前に投影された光ストライプにおいて一部について発した光の強度。
【００３１】
本発明の別の実施形態は、上述の方法に関し：
−単一のフレームの取得中にその個別の強度が調節可能である複数のスポットを備えるストライプを、ストライプ生成手段が生成し、および
−異なる時間において異なる一部のセンサ画素が、フレームの取得中にストライプから反射した光を検出するように、スポットが別々に投影され、異なる一部が、検出された光ストライプ上の異なる位置に対応し、
−個別のスポット強度が、一部の画素によって検出された強度に応じて調節される。
【００３２】
本発明の別の実施形態は、上述の方法に関し、ストライプ生成手段が、レーザーおよびマイクロミラーアレイを備える。
【００３３】
本発明の別の実施形態は、上述の方法に関し、ストライプ生成手段（１４）が、可動光学系を備える。
【００３４】
本発明の別の実施形態は、上述の方法に関し、ストライプ生成手段が、レーザーおよび可動ミラーを備える。
【００３５】
本発明の別の実施形態は、上述の方法に関し、画像センサが、ロールシャッターを備えたＣＭＯＳカメラまたはＣＣＤである。
【００３６】
本発明の別の実施形態は、上述の方法に関し、各一部の画素について投影されたストライプ内で光の強度を、以下に応じて設定することにより、光の強度がさらに調節される：
−ストライプにおいて少なくとも１つ前に投影されたスポットについて一部において画素（単数または複数）によって検出された光、および
−ストライプにおいて少なくとも１つ前に投影されたスポットについて一部において発した光の出力。
【００３７】
本発明の別の実施形態は、上述の方法に関し、一部について設定された光出力に応じて、一部の画素について露光時間を調節する工程をさらに備える。
【００３８】
本発明の別の実施形態は、光ストライプで対象物を照射および対象物表面から反射した光を検出することにより、対象物の表面上の複数の点からデータを捕捉するための走査プローブに関し、走査プローブは以下を備える：
（ａ）光ストライプを生成するためのストライプ生成手段；
（ｂ）対象物表面から反射した光ストライプを検出するための画像センサ；および
（ｃ）ストライプ生成手段によって生成された光ストライプが発せられる開口であって、該開口がその異なる幅に設定されるとき、異なる長さの該光ストライプが生成されるように、該光ストライプが通過しなければならない第１の幅の開口および第２の幅の開口を提供するように変更できる開口。
【００３９】
上述の走査プローブに関する本発明の別の実施形態は、開口が、非円形状であり、第１および第２の幅の開口を提供するために光ストライプに対する回転により変更できる。
【００４０】
上述の走査プローブに関する本発明の別の実施形態は、開口が手動で変更できる。
【００４１】
上述の走査プローブに関する本発明の別の実施形態は、以下をさらに備える：
開口が第１の幅かまたは第２の幅に設定されているかを検出するための手段；および
決定された幅に応じて、画像センサの検出フレームレートを設定するための手段。
【００４２】
上述の走査プローブに関する本発明の別の実施形態は、ユーザー入力指示に応答して、開口を変更するための手段をさらに備える。
【００４３】
上述の走査プローブに関する本発明の別の実施形態は、ユーザー入力指示に応じて、画像センサの検出フレームレートを設定するための手段をさらに備える。
【００４４】
本発明の別の実施形態は、対象物を光で照射および対象物表面から反射した光を検出することで、対象物の表面の複数の点からデータを捕捉するための走査プローブに関し、該走査プローブは以下を備える：
（ａ）光を生成および発するための光生成手段；
（ｂ）対象物表面から反射した光を検出するための画像センサ；および
（ｃ）画像センサからの信号を処理するように作動可能であるデータ処理手段であって、
光生成手段および画像センサから隔離された区分室に設置されているデータ処理手段。
【００４５】
上述の走査プローブに関する本発明の別の実施形態は、画像センサおよびデータ処理手段が第１の筐体に設置され、光生成手段が隔離された第２の筐体に設置され、第１および第２の筐体が、共に堅固に接続されている。
【００４６】
上述の走査プローブに関する本発明の別の実施形態は、データ処理手段を画像センサから熱的に絶縁する高い熱耐性を有する障壁によって、データ処理手段の区分室が画像センサから隔離されている。
【００４７】
上述の走査プローブに関する本発明の別の実施形態は、光生成手段、画像センサ、およびデータ処理手段が、単一の筐体に設置されており、光生成手段および画像センサから、データ処理手段を熱的に絶縁するため、高い熱耐性を有する障壁によって、データ処理手段の区分室が、光生成手段および画像センサから隔離されている。
【００４８】
上述の走査プローブに関する本発明の別の実施形態は、空気入口、空気出口、ならびに空気入口を介して区分室に空気を引きおよび空気出口を介して区分室から空気を出すために配置されたファンを有するデータ処理手段を区分室が含む。
【００４９】
本発明の別の実施形態は、対象物を光で照射し、対象物表面から反射した光を検出することで、対象物の表面上の複数の点からデータを捕捉するための走査プローブに関し、走査プローブは以下を備える：
（ａ）光を生成および発するための光生成手段；
（ｂ）撮像ウィンドウを介して、対象物表面から反射した光を検出するための複数の画素を有する画像センサ；および
（ｃ）撮像ウィンドウをカバーする閉位置および撮像ウィンドウをカバーしない開位置の間で移動可能であるバイザー。
【００５０】
上述の走査プローブに関する本発明の別の実施形態は、バイザーが閉位置にあるときに検出するための手段、バイザーが閉位置にあることが検出されるときプローブの動作を抑制するための手段をさらに備える。
【００５１】
上述の走査プローブに関する本発明の別の実施形態は、バイザーが閉位置にあるときに検出するための手段、バイザーが閉位置にあることが検出されるときユーザーに警告するための手段をさらに備える。
【００５２】
上述の走査プローブに関する本発明の別の実施形態は、それぞれ開位置および閉位置においてバイザーをロックするための手段をさらに備える。
【００５３】
本発明の別の実施形態は、対象物の表面上の毎秒何千もの３Ｄ点を正確に記録するためローカライザーを使用して作動するデジタルストライプ走査プローブを提供する。
【００５４】
本発明の第１の実施形態において、デジタルストライプ走査プローブは以下を備える：
−任意でデジタル的にアドレス指定可能であり得る画像センサ；
−共に堅固に接続された、ストライプ投影およびストライプ撮像用の２つの隔離した筐体；
−スペシャリストの処理のための仲介ボックスを必要としないコンピュータへの接続。
【００５５】
本発明の代替の実施形態において、デジタルストライプ走査プローブは、単一の筐体を備える。
【００５６】
本発明の別の実施形態において、デジタルストライプ走査プローブにおける画像センサは、ＣＭＯＳセンサである。
【００５７】
本発明の別の実施形態において、デジタルストライプ走査プローブ中の画像センサは、ＣＣＤセンサである。
【００５８】
一実施形態において、デジタルケーブルがデータ転送に使用される。デジタルケーブルは、アナログビデオケーブルよりも安価で小型である。また、デジタルケーブルを使用すると、データ送信中の背景ノイズを減らすことになる。
【００５９】
本発明の別の実施形態において、デジタルストライプ走査プローブおよびコンピュータの間のデータ接続は、イーサネット（登録商標）等の標準バスであり、デジタルストライプ走査プローブはＩＰアドレスを有する。
【００６０】
本発明の別の実施形態において、デジタルストライプ走査プローブのストライプ撮像筐体は、高熱耐性を有する障壁で隔離された熱区分室および冷区分室を備える。
【００６１】
本発明の別の実施形態において、デジタルストライプ走査プローブの熱区分室にファンが設置され、熱区分室が密封されている。
【００６２】
本発明の別の実施形態において、デジタルストライプ走査プローブの熱区分室にファンが設置され、熱区分室が入力上のダストフィルタで貫流されている。
【００６３】
本発明の別の実施形態において、ストライプはレーザーストライプである。ストライプは、静止光学系または可動光学系で作製され得る。
【００６４】
別の実施形態において、ストライプの出力（power）は経時的に制御される。これは、その強度がストライプ中で一定であるストライプを生み出すが、その強度は増減され得る。また、その強度がストライプ中で変更できる（中央または縁で大きい等）ストライプも生み出す。
【００６５】
本発明の別の実施形態において、センサはロールシャッターを有するＣＭＯＳセンサであり、ロールシャッターのタイミングは、光ストライプの出力で制御され、およびこれと同期し、各撮像されたストライプまたはストライプに沿った点の強度について、大きな程度の制御を提供する。
【００６６】
本発明の別の実施形態において、センサは、スナップショットバッファとして動作する通常のＣＣＤであり、光ストライプの出力と同期し、各撮像されたストライプまたはストライプに沿った点の強度について、大きな程度の制御を提供する。
【００６７】
本発明の別の実施形態において、前のストライプからの撮像された強度が、現在ストライプに沿った各点における光出力を調節した結果適応するように使用され、準最適信号対ノイズが得られ、データ品質が最大化される。
【００６８】
本発明の別の実施形態において、ストライプは、可動光学系で作製される。可動光学系は、飛点を生成するレーザーおよび可動ミラーを備えることができる。飛点の強度は、その強度がストライプ中で変更できるストライプを生じさせるようにスイープ内で調節されてもよい。あるいは、飛点の強度は、その強度がストライプ中で一定（すなわちほぼ均一）であるが、その強度が増減され得るストライプを生じさせるようにスイープ間で調節されてもよい。飛点は、ロールシャッターと同期してもよい。前者および後者の装置は、その強度がストライプ中で一定であるがその強度が増減され得るストライプを生じさせる。
【００６９】
本発明の別の実施形態において、ストライプは、静止光学系で作製される。静止光学系は、例えば可動ミラーを伴う機械部品が無い。静止光学系は、レーザーおよび固体マイクロミラーアレイ、またはレーザーおよび中実円筒光学系を備えてもよい。静止光学系は、その強度がストライプ中一定であるが、その強度が増減され得るストライプを生成することができる。マイクロミラーは、その強度がストライプ中で変更できるストライプを投影することができる。これはアレイが、その個別の強度が調節され得る複数の点としてストライプを投影するからである。
【００７０】
本発明の特定の実施形態において、センサは、ロールシャッターを有するＣＭＯＳセンサであり、ストライプは、静止光学系を使用して作製され、ロールシャッターのタイミングは、光ストライプの出力で制御され、かつこれと同期しており、ストライプ中の光出力は、レーザーによって制御される。
【００７１】
本発明の特定の実施形態において、センサはスナップショットバッファとして作動する通常のＣＣＤが使用され、ストライプは静止光学系を使用して作製され、ストライプ中の光出力はマイクロミラーアレイによってストライプ中で制御される。
【００７２】
本発明の特定の実施形態において、センサは、スナップショットバッファとして作動する通常のＣＣＤが使用され、ストライプは、可動光学系を使用して作製され、ストライプ中の光強度は、可動ミラーと組み合わせてレーザーによって制御される。
【００７３】
本発明の別の実施形態において、走査のスピードを増加するため、ストライプに従うトラッキングウィンドウが使用される。
【００７４】
本発明の別の実施形態において、異なるストライプ長を投影するため、複数位置を有する手動回転可能なストライプトリマーが設置される。
【００７５】
本発明の別の実施形態において、撮像ウィンドウを保護するため手動で位置決め可能なバイザーが設置される。バイザーの開閉状態を検出するためのセンサも設置される。
【００７６】
本発明の他の１つの実施形態は、対象物を光ストライプで照射して対象物表面から反射した光を検出することで、対象物の表面上の複数の点からデータを捕捉するための走査プローブであって、該走査プローブは以下を備える：
（ａ）光ストライプを生成および発するストライプ生成手段；
（ｂ）対象物の表面から反射した光ストライプを検出するための複数の画素を有するアドレス指定可能な画像センサ；
（ｃ）異なる時間において異なる一部の画像センサ画素を読み取るためのセンサ読み取り手段であって、異なる一部が検出された光ストライプの異なる位置に対応している、各一部における該画素（単数または複数）によって検出された該光を決定する、センサ読み取り手段；および
（ｄ）センサ読み取り手段により読み取られた一部の画素に応じて、光の出力を調節するための手段。
【００７７】
本発明の別の実施形態は、上記に規定した走査プローブであって、光の出力を調節するための手段が、各一部の画素についての出力を、少なくとも１つ前に投影された光ストライプについて、その一部における画素（単数または複数）によって検出された光と、少なくとも１つ前に投影された光ストライプにおいて、その一部について発した光の出力と、に応じて設定するように配列されている。
【００７８】
本発明の別の実施形態は、上記に規定した走査プローブであって、一部について設定された光出力に応じて、一部の画素についての露光時間を調節するための手段をさらに備える。
【００７９】
本発明の別の実施形態は、上記に規定した走査プローブであって、画像センサが、２次元配列の画素を備え、かつセンサ読み取り手段が一部の画素を読み取るように設置されていることで、各一部が２次元配列で全ラインの画素を備える。
【００８０】
本発明の別の実施形態は、上記に規定した走査プローブであって、光ストライプ生成手段が、光ストライプを生成および発するために静止光学系を備える。
【００８１】
本発明の別の実施形態は、上記に規定した走査プローブであって、光ストライプ生成手段が、光スポットを反射することで光ストライプを生成するための可動ミラーを備える。
【００８２】
本発明の別の実施形態は、対象物を光ストライプで照射して対象物表面から反射した光を検出することで対象物の表面上の複数の点からデータを捕捉する方法であって、該方法は下記を含む：
（ａ）光ストライプを生成および発する；
（ｂ）複数の画素を有するアドレス可能な画像センサを使用して、対象物表面から反射した光ストライプを検出する；
（ｃ）異なる時間で異なる一部の画像センサ画素を読み取って、各一部において画素（単数または複数）によって検出された光を決定し、異なる一部が検出された光ストライプ上の異なる位置に対応する、
（ｄ）読み取られた一部の画素に応じて、光の出力を調節する。
【００８３】
本発明の別の実施形態は、上記に規定した方法であって、光の出力が、少なくとも１つ前に投影された光ストライプについてその一部における画素（単数または複数）によって検出された光、および少なくとも１つ前に投影された光ストライプにおいてその一部について発した光の出力に応じて各一部の画素について出力を設定することにより調節される。
【００８４】
本発明の別の実施形態は、上記に規定した方法であって、一部の画素について設定された光出力に応じて、上記一部について露光時間を調節することをさらに備える。
【００８５】
本発明の別の実施形態は、上記に規定した方法であって、対象物表面から反射した光ストライプが、２次元配列の画素を備える画像センサを使用して検出され、各一部が２次元配列における全ラインの画素を備えるように一部の画素が読み取られる。
【００８６】
本発明の別の実施形態は、上記に規定した方法であって、光ストライプが静止光学系を使用して生成される。
【００８７】
本発明の別の実施形態は、上記に規定した方法であって、光ストライプが可動ミラーを使用して光スポットを反射することで生成される。
【００８８】
本発明の別の実施形態は、光ストライプで対象物を照射および対象物表面から反射した光を検出することにより、対象物の表面上の複数の点からデータを捕捉するための走査プローブであって、該走査プローブは以下を備える：
（ａ）光ストライプを生成するためのストライプ生成手段；
（ｂ）対象物表面から反射した光ストライプを検出するための画像センサ；および
（ｃ）ストライプ生成手段によって生成された光ストライプが発せられる開口であって、該開口がその異なる幅に設定されるとき、異なる長さの該光ストライプが生成されるように、該光ストライプが通過しなければならない第１の幅の開口および第２の幅の開口を提供するように変更できる開口。
【００８９】
本発明の別の実施形態は、上記に規定した走査プローブであって、開口が非円形状であり、第１および第２の幅の開口を提供するため、光ストライプに対して回転変化する。
【００９０】
本発明の別の実施形態は、上記に規定した走査装置であって、開口が手動で変更できる走査装置である。
【００９１】
本発明の別の実施形態は、上記に規定した走査装置であって、以下をさらに備える：
開口が第１の幅または第２の幅に設定されていることを検出するための手段；および
決定された幅に応じて、画像センサの検出フレームレートを設定するための手段。
【００９２】
本発明の別の実施形態は、上記に規定した走査装置であって、ユーザー入力指示に応じて開口を変更するための手段をさらに備える。
【００９３】
本発明の別の実施形態は、上記に規定した走査装置であって、ユーザー入力指示に応じて、画像センサの検出フレームレートを設定するための手段をさらに備える。
【００９４】
本発明の別の実施形態は、対象物を光で照射および対象物表面から反射した光を検出することで、対象物の表面の複数の点からデータを捕捉するための走査プローブであって、該走査プローブは以下を備える：
（ａ）光を生成および発するための光生成手段；
（ｂ）対象物表面から反射した光を検出するための画像センサ；および
（ｃ）画像センサからの信号を処理するように作動可能であるデータ処理手段であって、
光生成手段および画像センサから隔離された区分室に設置されているデータ処理手段。
【００９５】
本発明の別の実施形態は、上記に規定した走査プローブであって、画像センサおよびデータ処理手段が第１の筐体に設置され、光生成手段が隔離された第２の筐体に設置され、第１および第２の筐体が、共に堅固に接続されている。
【００９６】
本発明の別の実施形態は、上記に規定した走査プローブであって、データ処理手段を画像センサから熱的に絶縁する高い熱耐性を有する障壁によって、データ処理手段の区分室が画像センサから隔離されている。
【００９７】
本発明の別の実施形態は、上記に規定した走査プローブであって、光生成手段、画像センサ、およびデータ処理手段が、単一の筐体に設置されており、光生成手段および画像センサから、データ処理手段を熱的に絶縁するため、高い熱耐性を有する障壁によって、データ処理手段の区分室が、光生成手段および画像センサから隔離されている。
【００９８】
本発明の別の実施形態は、上記に規定した走査プローブであって、データ処理手段を含む区分室が、空気入口、空気出口、ならびに空気入口を介して区分室に空気を引きおよび空気出口を介して区分室から空気を出すために配置されたファンを有する。
【００９９】
本発明の別の実施形態は、対象物を光で照射および対象物表面から反射した光を検出することで、対象物の表面上の複数の点からデータを捕捉するための走査プローブであって、該走査プローブは以下を備える：
（ａ）光を生成および発するための光生成手段；
（ｂ）撮像ウィンドウを介して、対象物表面から反射した光を検出するための複数の画素を有する画像センサ；および
（ｃ）撮像ウィンドウをカバーする閉位置および撮像ウィンドウをカバーしない開位置の間で移動可能であるバイザー。
【０１００】
本発明の別の実施形態は、上記に規定した走査プローブであって、バイザーが閉位置にあるときに検出するための手段と、該バイザーが閉位置にあることが検出されるときプローブの動作を抑制するための手段とをさらに備える。
【０１０１】
本発明の別の実施形態は、上記に規定した走査プローブであって、バイザーが閉位置にあるときに検出するための手段と、該バイザーが閉位置にあることが検出されるときユーザーに警告するための手段とをさらに備える。
【０１０２】
本発明の別の実施形態は、上記に規定した走査プローブであって、それぞれ開位置および閉位置においてバイザーをロックするための手段をさらに備える。
【発明を実施するための最良の形態】
【０１０３】
発明の詳細な説明
別に規定が無ければ、本明細書で使用したすべての技術および科学用語は、当業者により通常理解されるものと同じ意味を有する。本明細書で参照した全刊行物は、参照により本明細書に引用したものとする。本明細書で参照する全ての米国の特許および特許出願は、図面を含みその全体が参照により本明細書に引用したものとする。
【０１０４】
本出願を通して、用語「約」は、値を決定するために採用されている機器または方法についての誤差の標準偏差を、値が含むことを示すために使用される。
【０１０５】
端点による数値範囲の引用は、全ての整数を含み、適切な場合は、その範囲の分数が含まれる（例えば１から５は、例えばレーザーストライプの数に言及するときには１、２、３、４を含むことができ、例えば計測結果に言及するときには、１．５、２、２．７５、および３．８０も含むことができる。）。端点の引用は、端点値自体も含むことができる（例えば、１．０から５．０までは、１．０および５．０の両方を含む。）。
【０１０６】
走査システム
第１の実施形態のデジタルストライプ走査プローブを次に開示する。プローブが例えば、１つのフレームから次のものへと（例えば、ＤＳＰプロセッサまたはＦＰＧＡプロセッサを使用して）強度を算出するための、および／またはセンサによって記録されたデータをデジタルデータに変換するための処理機構を備えるという意味で、プローブは「デジタル」である。図１は、本発明の第１の実施形態に従った走査システム１のレイアウトである。走査システム１は、ローカライザー４に取り付けられたデジタルストライプ走査プローブ２および接触プローブ３を備える。ローカライザー４は、ケーブル６によりまたは無線通信によりコンピュータ５と連絡する。ローカライザー４および対象物７は、走査中に相対的な動きが無いように固体表面８に取り付けられている。これは、デジタルストライプ走査プローブ２を使用して構築され得るこのような走査システム１の一例であるが、ストライプ走査プローブを有する他のタイプの走査システムが代わりに採用されてもよいことが当業者に理解されよう。
【０１０７】
デジタルストライプ走査プローブ
図２は、デジタルストライプ走査プローブ２の図である。デジタルストライプ走査プローブ２は、撮像筐体１１およびストライププロジェクタ筐体１２を備える。筐体１１、１２は、硬質ベースプレート１３のいずれか一端に取り付けられている。ストライププロジェクタ１４は、硬質ベースプレート１３の一端に取り付けられている。ストライププロジェクタ筐体１２には、投影されたストライプの光経路２２が、ストライププロジェクタ筐体１２を出るためのウィンドウ１５が設置されている。カメラ１６およびレンズ１７が硬質ベースプレート１３のストライププロジェクタ１４から他方端に取り付けられている。対象物（図示せず）のストライプを見るためにウィンドウ１８が撮像筺体１１に設置されている。処理ユニット１９が、撮像筐体１１の内部に取り付けられている。デジタルストライプ走査プローブ２をローカライザー４（図示せず）に取り付けるため、マウントプレート２１がベースプレート１３に設置されている。デジタルストライプ走査プローブ２にケーブルを接続するためのコネクタ２０が設置されている。あるいは、デジタルストライプ走査プローブ２がマウントプレート２１によってローカライザー４に取り付けられるとき、コネクタ２０において自動的に電気的接続がなされてもよい。
【０１０８】
熱制御
光学部品を、互いとマウント２１に対して再位置決めおよび/または再方向づけする過剰な熱的成長のために、過剰な熱および温度変化が、デジタルストライプ走査プローブ２を不正確にさせて、計測結果が不正確となることがある。最新型のストライプ走査プローブは、別のボックスにプローブから充分離れて配置された熱いコンピュータ処理装置を有する。このような「冷たい」最新型のプローブにおける温度上昇は小さく、かつ注意深く熱設計することで、起動時の熱的ドリフトを減らし、プローブがウォームアップ期間無しで直ちに使用されることを可能とした。デジタルストライプ走査プローブ２は、搭載処理ユニット１９を有し、最新型ストライプ走査プローブよりも毎秒当り多くの点を生成することができる。この理由の１つは、搭載処理ユニット１９がカメラ１６に近接していることで、高帯域幅のケーブルを使用してカメラ１６から搭載処理ユニットに、データが高速に伝達されることが可能となっていることである。他の理由を以下に記載する。搭載処理ユニット１９が一体化され、かつこれが高い処理電力を有する必要があることは、デジタルストライプ走査プローブ２内で多くの熱が生成されることを意味する。デジタルストライプ走査プローブ２の精度を維持し、かつウォームアップ期間無しでこれを直ちに使用することを可能にするため、新規な熱制御システムが提供されている。そこでは、冷たいままである光学部品およびベースプレートから断熱されている熱区分室に、熱い処理ユニット１９が置かれる。
【０１０９】
図３は、デジタルストライプ走査プローブ２の別の実施形態の冷却システムの図である。撮像筐体１１は、熱障壁３２によって熱区分室３４および冷区分室３３に分割されている。熱区分室３４において、撮像筐体１１の出口孔部３６に対してファン３１が取り付けられて、出口孔部３６から熱い空気がファン３１によって排出されるようにしている。入口孔部３７は、ダストフィルタ３０とともに撮像筐体１１に設けられている。入口孔部３７から吸入され処理ユニット１９を通過した冷たい空気は、暖められて出口孔部３６から出る。デジタルストライプ走査プローブ２の冷区分室、熱区分室、および投射筐体で生じた熱は、それぞれＨＣ、ＨＬ、ＨＨである。典型的な値は、ＨＣ＝０．５Ｗ、ＨＬ＝０．５Ｗ、ＨＨ＝３Ｗである。この場合、デジタルストライプ走査プローブ２で生じた熱の概ね７５％はＨＨであり、熱区分室３４の処理ユニット１９によって生じる。熱障壁３２は、熱区分室から冷区分室への熱ＱＢの流れを減らす。冷区分室３３において、熱ＨＣ＋ＱＢは、通常の伝導、対流、および放射によって除去される。ストライププロジェクタ筐体１２において、熱ＨＬは、通常の伝導、対流、および放射によって除去される。熱区分室３４において、正味の熱ＨＨ−ＱＢは、伝導、放射、対流、および熱伝達ＱＡによって除去され、通過する冷たい空気が暖められる。ファン冷却が無ければ、熱区分室３４は、冷区分室３３より摂氏１０度高い温度で通常は動作する。熱障壁３２は、熱区分室３４から冷区分室３３に移動する熱のほとんどを阻止するが、熱区分室および冷区分室３４、３３間の高い温度差によって、広域に及んで重量のある充分な熱障壁３２が要求される。冷却されていない熱区分室３４に伴う主な問題は、デジタルストライプ走査プローブ２が砂漠のような熱い周囲環境で使用されるとき、処理ユニット１９がオーバーヒートして作動が停止することである。熱区分室３４を冷却し熱ＱＡを除去するのには、貫流ファン駆動対流冷却システムが最も効率的である。熱区分室および冷区分室３４、３３間の温度差は、強制対流で摂氏２度前後である。熱障壁３３は、当業者に周知の材料と方法を使用して構築される。極端な場合は、熱区分室３４は、２室の筐体間で自由に循環する周囲空気を伴って冷区分室３３から隔離された筐体であってもよい。隔離した熱区分室および冷区分室３４、３３を有する別の利点は、ファン３１によって生じた速く移動する空気が冷区分室の光学部品を通過せず、測定安定性を下げる熱変動が生じないということである。温度感知デバイス３５は、ベースプレート１３に取り付けられ、通常０℃から４０℃までにおいて変化する周囲温度の環境で使用するデジタルストライプ走査プローブ２の熱較正用入力として使用される。ファンは、過酷、不清浄な環境において長期に渡る酷使で故障することがある。隔離した熱区分室および冷区分室３４、３３を有する本実施形態のデジタルストライプ走査プローブ２は、非常に熱い周囲環境を除けば、その精度を維持でき、作動するファン無しで使用され得る。
【０１１０】
代替の実施形態において、熱区分室３４は、密封されて効率的な冷却フィンを備えた熱区分室３４内で空気を循環するファン３１を含む。
【０１１１】
代替の実施形態において、デジタルストライプ走査プローブ２は、処理ユニット１９を含む熱区分室３４が内部に存在する単一の筐体を備える。この実施形態は、２筐体の実施形態よりも小型である。この実施形態は、空気を循環するための貫流強制冷却もしくは内部ファンを有することもファンを有しないこともある。
【０１１２】
隔離した熱区分室および冷区分室を有する全ての実施形態を含むが他の実施形態が可能であるということが当業者によって理解されるであろう。例えば、ファン３１およびフィルタ３０は、共に入口に配置されてファンがフィルタから空気を吸引してもよい。別の実施形態において、フィルタは設置されない。別の実施形態においては、フィルタもファンも設置されず、孔３６、３７を通じて空気が自然に循環して熱区分室を出入りする。
【０１１３】
バイザー
我々の最新型走査プローブを使用する何百もの顧客での経験では、性能が劣る主な原因は、トレーニングを除けば、撮像ウィンドウ１８が汚くなり、ユーザーによって充分にきれいにされないことであることが示された。撮像ウィンドウ１８の主な汚れの元は、汚れた指紋からである。撮像ウィンドウ１８は、光学的理由により大型である必要があり、触ることができないように充分に凹ませることが物理的に不可能である。
【０１１４】
本発明の代替の実施形態において、触れられることから撮像ウィンドウ１８を保護するためにバイザーが設置される。図４は、デジタルストライプ走査プローブ２上のバイザー４１の概略である。軸４４上の２つの回転軸位置の周囲にバイザー４１は回転し、そこでバイザーの突起が撮像筐体１１上の窪みに嵌り込む。バイザー４５上の突起によって、バイザー４１は上または下位置にロックされて、撮像筐体１１上の２つの窪み４３のうちの１つに定置され得る。手動ではない適用のため、バイザー４１は、引き抜くことで撮像筐体１１から全体的に除去されてもよい。バイザー検出器４２は、下位置においてバイザー４１の存在を検出し、この情報がソフトウェアに中継されて、バイザー４１がデジタルストライプ走査プローブ２の動作を止めていることをユーザーに知らせることができてもよい。
【０１１５】
バイザーは不透明であっても透明であってもよい。
【０１１６】
ストライプトリマー
デジタルストライプ走査プローブ２が、詳細な領域を走査するために使用されているとき、過剰データを得ることが無いようにストライプ長を減らすことができると便利である。最新型の走査システムは、ストライプの各端部における点のうち最後の１／４ずつ破棄するソフトウェアを使用してストライプ長の５０％減を達成している。オペレータは長いストライプを見るが短いストライプデータを捕捉するのみであるため、これはオペレータにとって紛らわしく、従って使用が難しい。また、コンピュータが、このソフトウェア機能をセットアップするために使用されなければならない。
【０１１７】
本発明の別の実施形態においては、異なるストライプ長を投影するために多位置が設定されている手動で回転可能なストライプトリマーが提供され、これによると走査しながらオペレータが見るものがオペレータが捕捉するデータである。図５は、デジタルストライプ走査プローブ２上のストライプトリマー５３の４つの図である。ストライプトリマー５３は２つの位置、すなわち１００％ストライプ長（上の２図）、および５０％ストライプ長（下の２図）を有している。ストライプトリマー５３は、回転ベアリング５４および２つの位置決め窪み５６によってストライププロジェクタ筐体１２の正面に取り付けられている。ユーザーは、１つの位置から別の位置へ手動でこれを回転する。ストライプトリマー５３上のピンがストライププロジェクタ筐体１２上の２つのブロックのうちの１つに突き当る簡単な機構的阻止システムによって、ストライプトリマー５３をいずれかの回転方向にオペレータが回転させ過ぎないようにする。ストライプトリマー５３のいずれかの側のインジケータマーク５１が、ストライププロジェクタ筐体１２の側方の５０％赤文字（rubric）または１００％赤文字に合うことで、オペレータは、一目でいずれの位置にストライプトリマー５３があるかがわかる。ストライプ５５は、矩形開口５７を通して現れる。１００％方向において、ストライプ５５は矩形開口５７の長手方向を通過し全長である。５０％方向において、ストライプ５５は矩形開口５７の幅を通過して半分の長さである。
【０１１８】
ストライプトリマーの他の形態が可能であることは当業者に理解されるであろう。例えば、ピンとブロックを取り除けば、４つの窪み位置は９０度間隔にあるが、ストライプトリマー５３は連続的に回転することができる。これによりブロックを有さずに、いずれかの方向に各四分の一回転することで、ストライプ長を５０％から１００％へ、またはその逆に変えることができるという利点を有する。開口５７は、矩形ではなく丸みのある溝等他の形状であってもよい。
【０１１９】
本発明の別の実施形態においては、成形された開口が設置され、最小と最大の間でストライプ長を自由にユーザーが切り込むことができる。開口の形状に対する良好な使い勝手に必要なのは、トリマー回転角度の変化の速度とストライプ長の変化の速度が一定の比率を提供することである。当業者によって作製できる、得られる最適化した開口形状は、ピーナッツと記載され得る。開口の形状に対するさらに良好な使い勝手に必要なことは、角度の変化の速度とパーセントストライプ長の変化の速度との間で一定の比率であることである。当業者によって作製できる、得られる最適化した開口形状は、リップ（唇）と記載され得る。改善した形状は、短いストライプ長の調整をさらに容易にする。図６Ａは、トリマー回転角度の変化の速度とストライプ長の変化の速度との間で一定の比率が存在する、５０％と１００％との間のストライプトリマー５３に対するピーナッツ形状の開口の概略である。図６Ｂは、角度の変化の速度とパーセントストライプ長の変化の速度との間で一定の比率が存在する、５０％と１００％との間のストライプトリマー５３に対する一対のリップ形状の開口の概略である。開口の形状は、異なる最大／最小ストライプ長比率に対して異なる。例えば、２５％の最小ストライプ長を有すると、ピーナッツのウェストはさらにずっと小さい。オペレータをガイドするため、２５％、５０％、７５％、および１００％のストライプ長に対して使用され得る主要位置を明確に位置決めできるように窪みが配置されて、ストライプトリマー５３の突起が適切な窪みに位置決めされるようにしてもよい。回転によりストライプ長を変化させる他の開口形状が可能である。また、実施形態は、開口を制御する回転的手段に限定されず、投影されたレーザーストライプに台形状の開口をスライドする等の直線的手段が可能である。さらに別の実施形態は、手動作動に限定されず、開口のモーター制御がプッシュボタンによる手動で、またはプロセス制御システムによる自動で可能である。
【０１２０】
さらに別の実施形態においては、ユーザーにより設定されたストライプトリマーの位置を検出するためのセンサが設けられ、ストライプトリマーの検出された位置に応じて、カメラ１６のフレームレートを設定するようにコントローラが設けられている。さらに詳細には、コントローラは、レーザーストライプの長さが減少するときフレームレートを増加させる。比較的短いレーザーストライプでは、読み取られてカメラ１６の画像センサから処理される比較的少ない画素データとなるため、このように増加したフレームレートが可能である。その結果、フレームレートは、異なるレーザーストライプ長に対して自動的に最適化される。
【０１２１】
必要なレーザーストライプ長を規定するユーザーの入力指示に従って、ストライプトリマーが（手動ではなく）自動的に調節される実施形態において、ユーザー指示に応じてフレームレートを設定するためコントローラが配置されてもよく、それにより上述のものと同様の利点が得られる。
【０１２２】
デジタルストライプ走査プローブの電子回路
図７は、デジタルストライプ走査プローブ２における電子回路の実施形態の図である。処理ユニット１９は、４つのモジュールＰＣＢ、すなわちＦＰＧＡモジュール７５、通信用ＤＳＰモジュール７４、周辺機器接続モジュール７３、および電源モジュール７２を備える。４つのモジュールは、電源／データバス８０に相互接続されている。カメラ１６は、ＦＰＧＡモジュール７５に接続されている。周辺機器接続モジュール７３は、温度センサ３５、ファン３１、距離計レーザースポット７１、状態ＬＥＤ７７、バイザー検出器４２、およびストライププロジェクタ１４に接続している。通信用ＤＳＰモジュール７４は、ＷｉＦｉモジュール７６にリンクしている。バッテリー７８が設置されている。プローブコネクタ２０が、電源／データバス８０にリンクしている。ＰＳＵモジュール７２における回路がバッテリー７８の再充電用に設けられている。ＦＰＧＡモジュール７５およびＤＳＰモジュール７４にメモリ７９が設置されている。メモリ７９は、静的および動的の両方である。スタティックメモリ７９は、識別、較正、設定、およびメンテナンスを助ける使用履歴等の他の情報を格納するために使用される。スタティックメモリ７９における設定は、通信バスを介してデジタルストライプ走査プローブ２への送信信号により変更され得る。少なくとも１つの正確なクロックがタイムスタンプ同期のために提供される。デジタルストライプ走査プローブ２の電子回路の他の実施形態が可能であることが当業者によって理解されるであろう。例えば、処理ユニット１９のモジュールの全部または任意の一部が、単一のモジュールに物理的に組み合わされて実装要件に適合してもよい。符号３１、３５、１４、７７、４２、７１、７６のいずれかが、処理ユニット１９の任意のモジュールに接続または組み込まれてもよい。１以上のチップが、１つのチップに組み合わされてもよい。電源／データバス８０は、設計要件を満たすように異なる装置で構成されていてもよい。バッテリー７８は、永続的、再充電可能、取り替え可能であってよい。
【０１２３】
配線と無線
図１の走査システムは、４つの主要な接続／通信要件を有している。
−ローカライザーまたはコンピュータからプローブへの電源／グラウンド 
−ローカライザーおよびコンピュータ間のデータ通信
−プローブおよびローカライザー間の同期
−プローブおよびコンピュータ間のデータ通信
【０１２４】
当業者は、ケーブルと無線の効果的な組み合わせを使用して、このような接続／通信要件を解決することができる。ユーザーは少ないケーブルを好む。
【０１２５】
本実施形態において、プローブ、コンピュータ、およびローカライザーは、イーサネット（登録商標）またはＷｉＦｉ等の共通データバスを共用することができる。こうすることで配線する必要が減る。イーサネット（登録商標）、ＷｉＦｉ、ＵＳＢまたはＦｉｒｅｗｉｒｅ等のコンピュータで概ね利用可能なバスの使用により、専用バス用の特別のＰＣカードを購入するコストが排除もされる。あるいはまたは加えて、データは、シリアルデジタルインターフェース（ＳＤＩ）を使用してプローブおよびコンピュータ間で伝達されてもよい。このデジタルインターフェースは周知である。
【０１２６】
また、本実施形態において、デジタルストライプ走査プローブ２は、ローカライザー４にケーブルを取り付けることなく使用されてもよい。電源およびグラウンド用のケーブルは、組み込まれたバッテリー７８のために、デジタルストライプ走査プローブ２の使用中は必要ではない。しかし、バッテリーは、取り替えまたはケーブルによる再充電が必要となる。データ通信は、ＷｉＦｉ等の標準広帯域無線通信で実行され得る。ローカライザー４およびデジタルストライプ走査プローブ２の両方に正確なクロックが存在する場合は、無線同期が周期的に使用されて２つのクロックをチェック／調整してもよい。これらのクロック調整の間において、ローカライザー４およびデジタルストライプ走査プローブ２の両方は、それらの各データパケットにタイムスタンプすることができ、データストリームがダウンストリームソフトウェアにおいて融合され得る。
【０１２７】
同期化
デジタルストライプ走査プローブ２は、デジタルストライプ走査プローブ２のハードウェアまたはファームウェアに必要な何らかの変更をすることなく複数の方法で同期化され得る。ローカライザー４は、さまざまな方法で作動する。異なるローカライザー４には異なるタイプの同期化が必要とされる。ローカライザー４とデジタルストライプ走査プローブ２との同期は精度のために重要である。デジタルストライプ走査プローブ２は、異なるタイプの同期信号の生成および受容を提供し、その中でデジタルストライプ走査プローブ２が、ローカライザー４に対してまたはマスタークロックに対して、マスターまたはスレイブのいずれかになることができる。同期信号には、単純なトリガ信号および符号化信号が含まれる。同期信号は、リアルタイム、事前同期または事後同期したものであってもよい。事前および事後同期は、タイムスタンプを利用することができる。同期信号と共に送られたコードは、準独自の識別コードおよび／またはタイムスタンプ情報であってもよい。少数のタイプの同期は、ほぼ全てのローカライザープローブ同期要件を充分カバーする。異なるタイプの同期化は、デジタルストライプ走査プローブ２に提供されている。オペレータは、ローカライザーと使用される同期のタイプを、デジタルストライプ走査プローブ２の設定を変更することで設定する。実施形態は、本明細書に開示の同期のタイプに限定されず、デジタルストライプ走査プローブ２およびローカライザー４の任意の形態の同期化が可能である。
【０１２８】
本実施形態において、同期はプラグアンドプレイである。一式のタイプの同期をカバーするプラグアンドプレイプロトコル／フォーマットが規定されている。ローカライザー４に接続されると、デジタルストライプ走査プローブ２およびローカライザー４は、自動的に同期タイプを取り決める。プラグアンドプレイは、各ユニット（ローカライザーおよびデジタルストライプ走査プローブ）を特定の同期設定で手動でオペレータがセットアップする必要が無いという利点を有する。当業者は、使用される一式のタイプの同期およびプロトコル／フォーマットを規定することができる。
【０１２９】
光レベル
カメラ１６への最適入力光レベルのための投影されたレーザーストライプ５５の強度は、表面色、表面反射率、デジタルストライプ走査プローブ２から対象物７の表面へのスタンドオフ距離、レーザーストライププロジェクタ１４に対する表面法線、カメラ１６に対する表面法線、ストライプに沿った点の位置および正反射等の要因によって数桁異なる。表面色が濃く反射的で（ストライプの端で）あり、カメラ１６およびレーザーストライププロジェクタ１４の両方からかなり離れて表面法線が向いており、かつ大きなスタンドオフがある場合は、高い投影強度が必要である。このような条件下では、投影されたレーザー出力は、カメラ１６に散乱して戻ることがほとんどない。反射角における鏡面のストライプの中央および低いスタンドオフでは、低い投影強度が必要である。このような条件下では、実質的に全てのレーザー出力が、カメラ１６に真っ直ぐに反射されて戻る。最適な投影レーザー強度における典型的なばらつきは、１００，０００：１の範囲に亘る。固定した設定の平均的ＣＣＤカメラでは、ストライプに沿った光レベルで１，０００：１の範囲の品質の走査データをほとんど作り出すことができない。走査するとき、最良のデータ品質を達成するためには、ストライプに沿った各点について投影レーザー強度を最適化することが理想的である。静止レーザーストライプを有する最新型ストライプ走査プローブにおいては、全体のストライプがＣＣＤカメラによって同時に撮像される。
【０１３０】
US5193120（Gamacheら）およびJP2000-097629（Mishitoshiら）は、ＣＣＤおよび円筒型レンズで生成されたレーザーストライプを備えるスキャナを開示する。前のフレームで受けた光によって受けた光の量を制御するための計算エンジンが使用される。制御は、ＣＣＤの露光時間、レーザー出力等を調整する点にある。ＣＣＤの特性により、全フレームが同時に捕捉される。さらに、円筒型レンズを使用するときは、レーザービームはストライプに分割され、ストライプの全ての点は同じ強度を有する。従って、GamacheおよびMishitoshiによって提案された構成では、フレーム内で撮像強度を変更または制御することはできない。
【０１３１】
ストライプに沿った入射光レベルにおけるばらつきが１０００：１を充分に下回って変化するため、最新型のストライプ走査プローブは、艶消し白の表面上でうまく動作する。最新型のストライプ走査プローブは、反射性の球等の対象物を走査するときは機能せず、両極端において不具合がある。すなわち、正反射の領域において入射光が多すぎ、かつストライプの端で入射光が少なすぎるのである。
【０１３２】
本発明の一実施形態は、光ストライプで対象物を照射して、対象物表面から反射した光を検出することで、対象物の表面上の複数の点からデータを捕捉するための走査プローブ２に関し、その走査プローブは以下を備える：
（ａ）光ストライプ５５を生成し発するためのストライプ生成手段１４；
（ｂ）対象物表面から反射した光ストライプを検出するための画素の配列を有する画像センサを備えるカメラ１６；
（ｃ）カメラ１６によって検出された強度に応じて、フレームの取得中に光ストライプ５５の強度を調節するための手段。
【０１３３】
光ストライプの強度への調節は、フレームがなお取得されている間に、カメラによって検出された強度に基づいて単一フレームの取得中に実施される。本発明は、例えば、２Ｄセンサの表面を順次走査するロールシャッターを使用することによってこれを達成し、前の部分のロールシャッター走査の間に登録された１以上の強度を使用して調節が達成される。あるいはまたは加えて、対象物に迅速に別々に投影される個別のスポットを備えるストライプを使用して、これは達成される。スポットは、効果的に対象物の一部を同時に照明し、対象物を順次走査し、前の部分の走査の間に登録された強度を使用して調節が達成される。
【０１３４】
両方の代替案において、フレームの取得中に、異なる時間において異なる一部の画像センサ画素がストライプから反射された光を検出する。異なる一部は、検出された光ストライプ上の異なる位置に対応する。好ましくは異なる位置は隣接している。一部の画素によって検出された強度に応じて、光の強度はフレームの取得中に調節される。ＣＭＯＳカメラ、ＣＣＤカメラ、以下に記載の静止および可動光学系を使用する本発明の特定の実施形態を以下に記載する。
【０１３５】
ＣＭＯＳカメラおよびロールシャッターを使用してストライプ撮像
本発明の一実施形態に従って、カメラ１６は、ロールシャッターを備えたものであり、レーザー強度が制御されて、ストライプまたはストライプ中の各点についてのレーザー強度および走査データが、任意の所与の捕捉されたフレームに対して最適の品質であるようにしている。レーザーストライププロジェクタ１４は、レーザーダイオードおよびレンズからストライプを生成するためには、静止光学系（中実円筒型光学系または半導体マイクロミラーアレイ等）使用することができる。あるいは、レーザーストライププロジェクタ１４は、機械的に駆動される可動光学系（可動ミラー等）を使用することができる。
【０１３６】
中実円筒光学系を使用すると、一定または可変強度のレーザーが光学系から投影されて、ストライプの長手方向に亘って本質的に一定の強度を有するレーザーストライプ５５が生じるが、その強度はストライプの長手方向に亘って増減され得る。
【０１３７】
マイクロミラーアレイを使用すると、一定または可変強度のレーザーがマイクロミラーアレイに投影される。ストライプは本質的には複数のスポットである。１以上のスポットが、対象物を非常に高速に（例えば５００、６０、７００、８００、９００、１０００Ｈｚ以上）走査して連続ストライプの外観を与える。得られるレーザーストライプ５５は、その強度が個別に制御されることができる複数の点から形成されている。レーザーストライプ５５は、マイクロミラーの方向を制御することで生成される。中実円筒光学系を使用して達成されるような、ストライプの長手方向に亘って一定強度を有するストライプ５５を得ることができる。あるいは、ストライプの長手方向に亘って可変強度を有するストライプを得ることができる。例えば、ストライプの最初の半分を生成するマイクロミラーは、３分の２の時間を使用してレーザー光をストライプの方に反射することができ、他方で、ストライプの次の半分を生成するマイクロミラーは、３分の１の時間を使用してレーザー光をストライプの方に反射することができる。この例において、最初の半分のセンサは、次の半分よりも２倍の強度を受けるのである。マイクロミラーアレイは、当業界に公知であり、例えば、Texas Instruments（www.dlp.com）によって製造されたＤＬＰシステムがある。
【０１３８】
可動ミラーアレイがあれば、得られるレーザーストライプ５５は、その強度が個別に制御され得る複数のスポットから形成される。１以上のスポットは、対象物を非常に高速に（５００、６０、７００、８００、９００、１０００Ｈｚ以上で）走査し、連続ストライプの外観を与えることができる。中実円筒光学系を使用して達成されるような、ストライプの長手方向に亘って一定強度を有するストライプ５５を得ることができる。あるいは、マイクロミラーアレイを使用して達成されるような、ストライプの長手方向に亘って可変強度を有するストライプを得ることができる。ミラーは、典型的には、回転多面鏡または振動性ガルバノメータ（oscillating galvanometer）ミラーであり、投影されたストライプに沿って各点毎にレーザー出力と同期する飛点を生成する。近距離（near standoff）および遠距離（far standoff）における同期した動作を可能とするためテレセントリックレンズが必要である場合もある。回転ミラーの角速度は、当業者によって提供され得る精密な制御および同期を必要とする。
【０１３９】
レーザーストライプ５５は、静的でありベースプレート１３に対して動かない。レーザーストライプ５５の投影強度は、（中実円筒光学系または可動光学系については）レーザーストライププロジェクタ１４中のレーザーダイオードへの出力を制御することで、および／または、多いかまたは少ない強度の光を投影するように、存在する場合はマイクロミラーアレイを制御することで制御され得る。レーザーダイオードへの調節は、デジタルストライプ走査プローブ２について容認できる寿命に見合った最大出力までであろう。また、レーザーダイオード出力は、オンおよびオフが切り替えられて高周波でストローブ（strobe）されてもよい。レーザー出力ストロボ（strobing）の高周波は、カメラ１６における画像センサ上の画素の露光時間よりもさらに大きくなければならず、それによりタイミングの問題を生じること無く非常に低いレーザー出力を投影することができる。カメラ１６の画像センサは、特定の設定のカメラおよび画像処理操作パラメータ（露出、絞り、感度、閾値）についてカメラに入るレーザー光について最適入射光レベルを有する。図８は、反射性の球である対象物７を撮像するデジタルストライプ走査プローブ２の２つの図である。ストライプ５５がストライププロジェクタ１４によって投影され、カメラ１６によって撮像される。左側の図は側面図である。右側の図は正面図である。ストライプ５５の中央'Ｓ'は、カメラ１６へ鏡面的に反射している。
【０１４０】
図９Ａは、画像センサ８１上の、ストライプ５５のストライプ画像８２の図である。球状対象物７上のストライプ５５の曲線が、ストライプ画像８２の曲線として撮像されている。画像センサ８１は、ロールシャッターを有するＣＭＯＳセンサである。画像センサチップ８１は、IBIS 5A-1300 CMOS画像センサを製造しているCypress Semiconductor Corporation (米国) を含むさまざまなメーカーから購入できる。画像センサ８１は、２Ｄ配列の画素であり、典型的には１０００以上の行である多数の行Ｒ１．．．ＲＮを有する。画像センサ８１は、フレームの取得中に画素の行を順次露出する、センサ上を通過（sweep）するロールシャッターを有するように構成されている。単一フレームの取得中に、任意の所与の時間において、多数の（一部の）画素が光を集め、他方でその他の画素は光を集めない。ロールシャッターが完全に通過すると、取得期間中に本質的に全画像センサ配列の露出にさらに繋がる。
【０１４１】
ＣＭＯＳは、画像を捕捉できる２Ｄ配列の光感応性画素を備える。各画素は、それ自体のＡ／Ｄ変換をＣＭＯＳ内で行うことで、ＣＭＯＳの出力はデジタルであり、フレーム取り込み器を使用してフレームをデジタル化する必要が無い。また各画素は、当る光の強度を決定するため個別にアクセスされ得る。この理由のため、ＣＭＯＳは、「アドレス可能カメラ」とも呼ばれる。ＣＭＯＳは、ロールシャッターモードで使用され得る。アドレス指定能力により、各画素についての積分時間における柔軟性を可能にしているので、各画素は全画素について同一である必要が無い。例えば、最初の半分のストライプは、ｔ＝０およびｔ＝５ｓの間で、次の半分は、ｔ＝５およびｔ＝１０ｓの間で積分され得る。
【０１４２】
シャッターは、実質的に行Ｒ１から行Ｒｎに進む。時間ＴにおいてＲ３が光を集め、他方で他の全ての列は光を集めていないことを示すために行Ｒ３に斜線が付けられている。最新型のストライプ走査プローブにおいては、通常、行よりも列を多く有する画像センサが横長形式で通常位置決めされているため、最大数の列についてストライプが撮像され、所与のセンサに対するストライプに沿って、より多くの点を提供するようにしている。デジタルストライプ走査プローブ２において、ロールシャッターを利用するため画像センサ８１を９０度回転する。本図においては、このため行および列が置き換わっている。
【０１４３】
図９Ｂは、画像センサ８１について、最適撮像強度ＩＩＯと比較した、各行により撮像された時間ｔについての強度ＩＩの図である。ストライプは、数行に亘って撮像し、撮像強度ＩＩは、行の中心軌跡（column centroid）を計算するときの曲線下の面積である。最適撮像強度ＩＩＯは、レーザー出力制御パラメータを調節して、多すぎる光で溢れる画素が無いように、かつ画像処理中に閾値設定により除去される背景ノイズを、各画素における平均信号が遙かに上回るように当業者によって設定された強度である。撮像強度ＩＩは、撮像されたストライプ８２に沿った最適撮像強度ＩＩＯに近い。図９Ｃは、ストライププロジェクタ１４によって投影された強度ＩＰ出力の時間ｔについての（ｌｏｇ１０スケールでの）図である。ストライプ５５上の各点における投影強度ＩＰは、その点について撮像強度ＩＩとなる投影強度ＩＰであり、これは、最適撮像強度ＩＩＯに可能な限り近い。点Ｓにおいてはカメラ１６に戻る投影強度の正反射が存在するため、点Ｓにおける投影強度ＩＰは小さい。行Ｒ１等、ストライプ５５のいずれかの端においては、投影された光の大部分がカメラ１６から散乱され、光のわずかな部分のみが画像センサ８１に進むので、投影強度ＩＰは大きい。
【０１４４】
投影されたストライプ５５は、ストライプに亘るレーザー強度への調節が明らかな場合は、その長手方向に亘って一定の強度を有することができる。投影されたストライプ５５が、マイクロミラーアレイまたは可動光学系を使用して生成される場合は、ストライプは実質的に一連の個別的に投影されたスポットであるため、ストライプ内の強度が調節されることもある。スポットの投影は、ロールシャッターを使用して同期化されて、フレームの取得中にストライプ５５の一部に強度の調節が適用され、ＣＭＯＳで捕捉された各フレームが最適化されるようにすることができる。
【０１４５】
ＣＣＤカメラを使用するストライプ撮像
別の実施形態によると、カメラ１６は２Ｄ配列のセンサを有するＣＣＤカメラであり、レーザーストライププロジェクタ１４は、レーザーダイオードおよびレンズと組み合わせて、可動ミラーまたはマイクロミラーアレイを使用するものである。可動ミラーおよびマイクロミラーアレイは上述している。
【０１４６】
得られるレーザーストライプ５５は、ベースプレート１３に対して静的であるが、複数の点から形成され、その強度が個別に制御され得て、ストライプ中の各点についてのレーザー強度および走査データが任意の所与のフレームについて最適な品質のものであるようにしている。
【０１４７】
レーザーストライプ５５内の投影強度が、レーザーダイオードへの出力を制御することでおよび／またはマイクロミラーアレイがある場合はこれを制御することで制御され、より大きいかまたはより小さい強度の光が投影される。レーザーダイオードへの調節は、デジタルストライプ走査プローブ２について容認できる寿命に見合った最大出力までであろう。また、レーザーダイオード出力は、オンおよびオフが切り替えられて高周波でストローブされてもよい。高周波のレーザー出力ストロボは、ミラーがストライプを通過（sweep）する時間よりもさらに大きくなければならず、また、カメラ１６におけるＣＣＤセンサ上の画素の露光時間よりもさらに大きくなければならず、それによりタイミングの問題を生じること無く非常に低いレーザー出力を投影することができる。カメラ１６のＣＣＤ画像センサは、特定の設定のカメラおよび画像処理操作パラメータ（露出、絞り、感度、閾値）に対してカメラ１６に入るレーザー光について最適入射光レベルを有する。
【０１４８】
上記の図８は、この実施形態および次の説明に当てはまる。図１０Ｆは、画像センサ１３２上のストライプ５５（図８）のストライプ画像１３１の図である。ストライプ画像１３１は、捕捉したフレームを表す。球状対象物７のストライプ５５の曲線は、画像センサ１３１上の曲線として撮像されている。画像センサ１３２は、対象物から反射した光の強度と位置を捕捉できるＣＣＤであってもよい。画像センサ１３２は、典型的には２Ｄ配列の画素であり、概ね１０００以上の行である多数の行Ｒ１．．．ＲＮを有する。配列中の過飽和または不足飽和のセンサを検出することは、レーザー強度における補整的調整となる。投影されたストライプ５５は、可動ミラーの動き（sweep）によりレーザーによって投影された実質的に一連のスポットである。強度の調節は、ＣＣＤによって捕捉された各フレームが最適化されるという効果を有しつつ、フレームの取得中にストライプ５５の一部に適用され得る。
【０１４９】
図１０ＡからＥは、Ｔ＝１からＴ＝５までの時間間隔における完全なフレームの取得中での、ＣＣＤ１３２によって検出されたストライプ画像１３１の不完全なパターン（１３３ａから１３３ｅ）を示す。最初の時間間隔Ｔ＝１（図１０Ａ）において、不完全パターン１３３ａの撮像強度が積分され、結果が使用されて、次の時間間隔Ｔ＝２（図１０Ｂ）中のパターン１３３ｂの検出においてレーザーの出力を調節する。このサイクルが以下に続くパターン（１１３ｃから１１３ｅ）について、レーザーストライプ５５の長さがＣＣＤセンサ１３２によって検出されるまで繰り返される。検出期間（Ｔ＝１からＴ＝５）の終わりにおいて、取得されたフレームの画像が最適化された。
【０１５０】
図１１Ａは、各時間間隔（Ｔ＝１からＴ＝５）の間の強度の積分により得られた各不完全パターンの撮像強度ＩＩ、および画像センサ１３２について最適な撮像強度ＩＩＯの図である。最適撮像強度ＩＩＯは、レーザー出力制御パラメータを調節して、多すぎる光で溢れるＣＣＤ中の画素が無いように、かつ画像処理中に閾値設定により除去される背景ノイズを各画素における平均信号が遙かに上回るように当業者によって設定された強度である。
【０１５１】
撮像強度ＩＩは、撮像ストライプ１３２に沿った最適撮像強度ＩＩＯに近い。図１１Ｂは、ストライププロジェクタ１４によって投影された強度ＩＰ出力の時間についての（ｌｏｇ１０スケールでの）図である。ストライプ５５上の各点における投影強度ＩＰは、その点について撮像された最適撮像強度ＩＩＯに可能な限り近い強度ＩＩとなる投影強度ＩＰである。点Ｓにおいてはカメラ１６に戻る投影強度の正反射が存在するため、点Ｓにおける投影強度ＩＰは小さい。行Ｒ１等、ストライプ５５のいずれかの端においては、投影された光の大部分がカメラ１６から散乱され、光のわずかな部分のみが画像センサ１３２に進むので、投影強度ＩＰは大きい。
【０１５２】
投影強度の制御
モジュール７４のＤＳＰプロセッサは、前に生成した一式の投影した強度を、ストライプに沿った各点に対して１つの投影強度と共に取り込み、対応するレーザー出力値を周辺モジュール７３のレーザー出力回路に出力するためのストライプ強度投射ファームウェア手順を実行する。レーザー出力値は、画像センサ８１上のロールシャッターのタイミングまたはミラー／マイクロミラーの動きに同期して出力されることで、ストライプ上の各点について必要な、投影強度に対応するレーザー出力が提供されるようにしている。ロールシャッターシステムの場合は、画像センサ８１上の対応する行がシャッターを開きながら、投影強度が提供される。可動ミラーシステムの場合は、投影強度は、ミラーの位置および投影されたスポットに同期して提供される。マイクロミラーシステムの場合は、投影強度は、ミラー振動周波数および投影されたスポットに同期して提供される。電子工学およびプロセッサソフトウェアの当業者にとって、このような機能を達成するための回路およびファームウェア手順を実行することは簡単なことである。
【０１５３】
適応的ストライプ強度制御法
本発明の一実施形態に従って、１以上の前のストライプにおける各点について撮像された強度および１以上の前のストライプにおける各点についての既知の投影されたレーザーの強度を使用し、次のストライプに沿った各点について理想的な投影強度のレーザーが推定され、新たな推定へと繰り返される。
【０１５４】
本発明の別の実施形態に従って、ストライプに沿った次の点についてのストライプ内での理想的な投影強度は、ストライプ内で１以上の前の点について撮像された強度およびストライプ内での１以上の前の点について既知の投影強度を使用して推定され、新たな推定へと繰り返される。
【０１５５】
図１２は、ストライプ上の点について新たに投影された強度を算出する方法である。工程９１において、１以上の撮像強度が、１以上の前のストライプ上の同じ点について、または同じストライプ内の１以上の前の点について受容されている。工程９２において、１以上の投影強度が、１以上の前のストライプ上の同じ点について、または同じストライプ内の１以上の前の点について投影された強度について受容されている。受容され投影された強度は、前のストライプまたは点において、レーザー出力を制御するためのモジュール７４のＤＳＰプロセッサで使用された値である。工程９３において、次のストライプにおける同じ点について、または同じストライプにおける次の点について、新たに投影された強度が計算される。
【０１５６】
強度アルゴリズム
新たに投影された強度を計算するための簡単なアルゴリズムは、点についての前の撮像強度、および同じ点についての前の投影強度に応じている。前の撮像強度および前の投影強度の間の関係は、デジタルストライプ走査プローブ２の各設計について異なり、通常は非線形的である。楕円関係が良好な開始近似であることが見出されたが、方程式に基づく放物または他の関係がさらに良好であり得る。単一の関係は、全行における全点について概ね使用され得る。各点は、未知で、かつ通例変化する光反射率を有する。その光反射率についての前の座標は既知である。すなわち、前の撮像強度、前の投影強度である。関係は、２つの座標、すなわち（前の撮像強度、前の投影強度）および画像および投影強度の両方がゼロである（０，０）点を使用してスケーリングされる。この関係は、等式として表現されるかまたは参照表として埋め込まれることができる。図１４は、撮像強度ＩＩおよび投影強度ＩＰの間の関係９４についての図である。ゼロ点９７ならびに前の撮像強度および前の投影強度の座標９５の間で当てはまるように、関係９４はスケーリングされている。スケーリングされた関係は、前の点から測定された光反射率に応じている。次の投影強度は、最適撮像強度ＩＩＯおよび座標９６を介する関係９４から算出される。最適撮像強度ＩＩＯは、前の撮像強度よりも実質的に大きいか小さいことがある。
【０１５７】
点について新たに投影された強度を生成するための多くの異なる方法が使用され得るということが当業者に理解されよう。多くの修正が当業者に明らかであるということも理解されよう。次の投影された強度の開示した計算は、一定の光反射率を仮定しているが、レーザーストライプ５５が対象物７の表面に対して動くとき、少量だけ光反射率が変更されやすいので、これは最良の推定である。いくつかの前に投影されおよび撮像された強度が処理される場合に補間法が使用されてもよい。隣接する次の投射された強度を考慮し、後の処理として平滑法が使用されてもよい。
【０１５８】
ロールシャッター多行露光
ロールシャッターについての多くの異なるタイプおよび構成がある。露光時間は各フレームについて固定される。概ね、ロールシャッターは、行１上の最初の画素で開始し、最後の行上の最後の画素で終了し、その後、おそらく異なる露出時間で行１上の最初の画素で再び継続する。各画素は、特定の量の時間、すなわち露光時間で光を受容するため開放している。ロールシャッターの露光時間の長さは、画像センサ、その設定およびレーザー出力に依存する。毎秒１００フレームおよび１０００行で０．１ミリ秒の露光は１０行をカバーする。これは、任意の時間で１０行が撮像する光になるであろうことを意味する。理想的な状況は、その後、露光を０．０１ミリ秒減らすことであるが、そのように短い時間では、充分な光が撮像されないであろう。レーザー強度は増加され得るが、レーザーストライプのオペレータ使用についての安全規制は、このような強度を制限する。実際には、異なる状況下で、１０００行のうち１行から１００行が任意の時間において画像光になるであろう。開示した適応的ストライプ強度制御法は改変される。点について投影された強度は、今度は、その点に対応する行上で、開口が開放していた間に投影された全ての投影強度の平均として計算される。複数行が同時に露光される場合の点について、新たに投影された強度を生成するための、多くの異なる方法および最適化が使用されてもよいことが当業者によって理解されるであろう。
【０１５９】
本実施形態において、露光時間を増減することでデータ品質において得られる利益がある場合は、露光時間は１のフレームから次へと修正される。最大許容の出力のレーザー出力でストライプの部分の最適撮像強度に到達することが困難な場合は、露光時間は増加される。全フレームについてレーザー出力が低い場合は、同時に露光される行を減らすため露光時間は減らされる。同時に露光される行の数を減らすことは、表面の光反射における何らかの急速な変化に対する応答の鋭さを増加させ、データ品質を最適化する。
【０１６０】
データ品質のラベル付け
本実施形態は、デジタルストライプ走査プローブ２が対象物７の表面の上を動くときの、表面組織および形状の急速な変化に適応する。急速な変化への応答時間は、通常は１ストライプであり、これは毎秒２００ストライプで動作するシステム上では５ミリ秒に等しい。急速な変化がある場合は、データ品質は変化中に劣化することがある。各点についての撮像強度を算出する際、データ品質の指標を与えることが可能である。最も簡単な形態では、品質の閾値を超えないデータは、アプリケーションソフトウェアへのデータ出力の前に単に破壊されてもよい。適用によっては、各亜標準データ点に品質の程度を与えるラベルが貼られてもよい。１バイトのサイズのラベルを、０（劣）から２５５（優）までの品質にラベル付けすることができる。
【０１６１】
走査されたストライプ
別の実施形態において、レーザーストライプは、回転多面鏡または振動ガルバノメータミラー（oscillating galvanometer mirror）を使用して、レーザースポットを走査することで作製される。ロールシャッターと飛点が同期し、投影されたストライプに沿った各点についてレーザー出力が設定される。近距離または遠距離で同期した動作を可能にするためには、テレセントリックレンズが必要である。回転鏡の角速度は、精密な制御および同期を必要とするが当業者によって提供され得る。
【０１６２】
トラッキングウィンドウ
本実施形態は、ストライプが全体のフレームではなく、その中に存在するトラッキング矩形ウィンドウを使用することで、デジタルストライプ走査プローブ２の毎秒当りのストライプの速度を増加させる。図１３は、トラッキングウィンドウ８４内に画像センサ８１を下げるストライプ画像８２の概略である。トラッキングウィンドウ８４は、常に画像センサ８１の全幅である。トラッキングウィンドウ８４は、ストライプを追跡して上下に動く。トラッキングウィンドウ８４の深さは、ストライプ画像８２の形状が変化するとき増減し得る。トラッキングウィンドウ８４は、ストライプ画像８２によって占める矩形面積よりも大きく、この別のウィンドウ領域は、フレーム間でストライプが大幅に動いてもなお捕捉されていることを可能とする。この別のウィンドウ領域は、典型的には、頂部および底部において画像センサ８１の高さの１０％である。典型的には、画像センサ８１配列の高さの２５％である最小の高さのトラッキングウィンドウ８４が存在する。走査の最初のフレームに対して、ウィンドウは全フレームのサイズである。次のフレームにおいて、ウィンドウはストライプ画像８２の周囲に小さくなる。フレームが処理されるとき、ストライプ画像８２上の最も低い点であるＬおよびストライプ画像８２の最も高い点であるＨが算出される。次のフレームに対するウィンドウサイズが、Ｈ＋０．１ＦからＬ−０．１Ｆとして与えられる。ここでＦは画像センサ８１内の列の数である。トラッキングの待ち時間は、画像センサ８１およびカメラ１６の設計によって制限され得る。
【０１６３】
トラッキングウィンドウを使用する利点は、トラッキングウィンドウの外部のセンサの部分からのデータを読み取る（または処理する）必要が無いことであり、これはかなりの時間の節約となる。さらに、このように時間を節約するため、毎秒より多くの点がスキャナによって取得され得る。これは、より多くの毎秒当りのフレームが捕捉され処理されることを、１つのフレームからのより速いデータの処理が可能にしているからである。このようにより高いサンプリングは、点の位置選定（例えば、同じ点は、数回取得されて平均され得る。）においてさらに良好な精度となる。少ないデータが読み取られてセンサから格納されるので記憶の必要も減る。ＣＭＯＳを使用すると、フレームの一部のみが効果的に読まれるため、トラッキングは電子的に設定され得る。ＣＣＤを使用すると、全体のフレームが読まれると処理すべきデータが少ないため、トラッキングは計算中に便益を提供する。
【０１６４】
トラッキングウィンドウの外部の画素がセンサの積分時間中に電荷を蓄積しないように、スキャナが配列されてもよい。あるいは、全画素が電荷を蓄積するようにスキャナが配列されてもよい。後者の場合は、トラッキングウィンドウの外部の画素についての電荷は読み取られないが次のセンサ積分期間前にリセットされる。
【０１６５】
上記のロールシャッターは、トラッキングウィンドウ内で動作する。
【０１６６】
センサ
上記の実施形態において、走査プローブは、ＣＭＯＳセンサおよびロールシャッターを備えるか、またはＣＣＤを備える画像センサを有する。
【０１６７】
ＣＭＯＳは、各画素が個別にアドレス指定され得るので、ロールシャッターの適用に適している。ＣＭＯＳは、「アドレス指定可能カメラ」とも呼ばれている。またＣＭＯＳにおいて、各画素は、それ独自のＡ／Ｄ変換を実行する。さらに、ロールシャッターを使用すると、積分時間は全画素に対して同じである必要が無く、例えば、最初の半分は、ｔ＝０ｓおよびｔ＝５ｓの間で、次の半分は、ｔ＝５ｓおよびｔ＝１０ｓの間で積分される。しかし、ロールシャッター適用については、任意のタイプのアドレス指定可能な画像センサが使用されてよい。すなわち、センサの所定の領域からのデータの選択的読み取りを、センサの他の領域からのデータを読み取る必要が無く、可能とする任意のタイプのセンサが使用されてよい。例えば、特定のタイプのＣＣＤは、画素の選択された行または列からデータが読み取られることを可能とするため、アドレス指定可能であり、このようなＣＣＤが実施形態において使用されてもよい。
【０１６８】
ＣＣＤの個別の画素は、アドレス指定可能ではないため、本発明は、可変強度のストライプを有する組み合わせを採用するか、または最適化されたフレームを達成する。ＣＣＤにおいては、通常の時間（露光時間）、例えば０ｓから１０ｓの時間中に光は各画素において積分される。積分の終了時点で、全アナログ信号がフレーム取り込み器に伝達されてデジタル化される。
【０１６９】
レーザー修正
上記の実施形態において、走査プローブのストライププロジェクタ１４は、対象物表面を照射するためのレーザーを採用している。レーザーは、可視、赤外等、任意の部分の電磁スペクトルで光を発することができる。また、白色光源等の代替がレーザーの代わりに使用されてもよい。
【０１７０】
他の修正
上記の実施形態において、単一のストライププロジェクタ１４および単一のカメラ１６が使用されている。しかし、複数のカメラが単一のストライププロジェクタと組み合わせて使用されてもよい。あるいは、複数のカメラが複数のストライププロジェクタと使用されてもよく、例えば、各ストライププロジェクタがストライプを異なる方向に投影し、各カメラが各ストライプを検出してもよい。
【０１７１】
上記の実施形態において、対象物を走査するため、走査プローブは対象物に対して動かされ、ローカライザーは、走査プローブの位置を決定するように使用されている。しかし、代わりに、走査プローブが静止位置に維持され、対象物が静止プローブに対して既知の位置に動かされてもよい。例えば、対象物の位置は、上記のローカライザーのうちの１つを使用して決定されてもよい。
【図面の簡単な説明】
【０１７２】
本発明の実施形態を添付の図面を参照しつつ例示によってのみ記載する。
【図１】本発明の第１の実施形態に従った走査システムの概略レイアウト
【図２】デジタルストライプ走査プローブ
【図３】デジタルストライプ走査プローブのための冷却システム
【図４】デジタルストライプ走査プローブ上のバイザーの概略
【図５】デジタルストライプ走査プローブ上のストライプトリマー
【図６】図６Ａ：ストライプトリマー用のピーナッツ形状の開口の概略、図６Ｂ：ストライプトリマー用の１対のリップ形状の開口
【図７】デジタルストライプ走査プローブにおける電子回路
【図８】反射性の球を撮像するデジタルストライプ走査プローブ
【図９】図９Ａ：ロールシャッターが採用されているときの画像センサ上のストライプ画像、図９Ｂ：ロールシャッターが採用されているときの各列により撮像された経時の強度ＩＩ、図９Ｃ：ロールシャッターが採用されているときの経時のストライププロジェクタにより投影強度ＩＰ出力（ｌｏｇ１０スケール）
【図１０】図１０Ａ：可動ミラーまたはマイクロミラーアレイが採用されたときの画像センサ上の不完全なストライプ画像パターン、図１０Ｂ：可動ミラーまたはマイクロミラーアレイが採用されたときの画像センサ上の不完全なストライプ画像パターン、図１０Ｃ：可動ミラーまたはマイクロミラーアレイが採用されたときの画像センサ上の不完全なストライプ画像パターン、図１０Ｄ：可動ミラーまたはマイクロミラーアレイが採用されたときの画像センサ上の不完全なストライプ画像パターン、図１０Ｅ：可動ミラーまたはマイクロミラーアレイが採用されたときの画像センサ上の不完全なストライプ画像パターン、図１０Ｆ：画像センサ上での取得したストライプ画像
【図１１】図１１Ａ：経時の各列による撮像強度ＩＩ、図１１Ｂ：経時のストライププロジェクタによる投影強度ＩＰ出力（ｌｏｇ１０スケール）
【図１２】ストライプ上の点に対する新たな投影強度の計算方法
【図１３】トラッキングウィンドウ内のストライプ画像の概略
【図１４】撮像強度ＩＩおよび投影強度ＩＰの関係
【符号の説明】
【０１７３】
１    走査システム
２    デジタルストライプ走査プローブ
３    接触プローブ
４    ローカライザー
５    コンピュータ
６    ケーブル
７    対象物
８    固体表面
１１    撮像筐体
１２    ストライププロジェクタ筐体
１３    硬質ベースプレート
１４    ストライププロジェクタ
１５    ウィンドウ
１６    カメラ
１７    レンズ
１８    撮像ウィンドウ
１９    処理ユニット
２０    プローブコネクタ
２１    マウントプレート
２２    光径路
３０    ダストフィルタ
３１    ファン
３２    熱障壁
３３    冷区分室
３４    熱区分室
３５    温度センサ
３６    出口孔部
３７    入口孔部
４１    バイザー
４２    バイザー検出器
４３    窪み
４４    軸
４５    バイザー
５１    インジケータマーク
５３    ストライプトリマー
５４    回転ベアリング
５５    ストライプ
５６    位置決め窪み
５７    矩形開口
７１    距離計レーザースポット
７２    ＰＳＵ（電源モジュール）
７３    周辺機器接続モジュール
７４    ＤＰＳモジュール
７５    ＦＰＧＡモジュール
７６    ＷｉＦｉモジュール
７７    状態ＬＥＤ
７８    バッテリー
７９    メモリ
８０    電源／データバス
８１    画像センサ
８２    ストライプ画像
８４    ＤＰＳ  ＣＯＭＭＳ
９１    撮像強度受容
９２    投影強度受容
９３    新たに投影された強度を算出
９４    関係
９５    投影された強度の座標
９６    座標
９７    ゼロ点
１３１    ストライプ画像
１３２    画像センサ
１３３ａ    不完全なパターン
１３３ｂ    不完全なパターン
１３３ｃ    不完全なパターン
１３３ｄ    不完全なパターン
１３３ｅ    不完全なパターン
【図１】
2009534969.tif 000003
【図２】
2009534969.tif 000004
【図３】
2009534969.tif 000005
【図４】
2009534969.tif 000006
【図５】
2009534969.tif 000007
【図６】
2009534969.tif 000008
【図７】
2009534969.tif 000009
【図８】
2009534969.tif 000010
【図９】
2009534969.tif 000011
【図１０】
2009534969.tif 000012
【図１１】
2009534969.tif 000013
【図１２】
2009534969.tif 000014
【図１３】
2009534969.tif 000015
【図１４】
2009534969.tif 000016
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
対象物を光ストライプで照射し、かつ該対象物表面から反射した光を検出することで、該対象物の表面上の複数の点からデータを捕捉するための走査プローブ（２）であって、以下を備える走査プローブ：
（ａ）光ストライプ（５５）を生成および発するストライプ生成手段（１４）；
（ｂ）該対象物表面から反射した光ストライプを検出するための画素の配列を有する画像センサを備えるカメラ（１６）；
（ｃ）該カメラ（１６）により検出された強度に応じて、単一のフレームの取得中に該光ストライプ（５５）の強度を調節するための手段、それによって：
−異なる時間において異なる一部の画像センサ画素が、該フレームの取得中に、該ストライプから反射した光を検出するように該カメラ（１６）および／またはストライプ生成手段（１４）が構成され、該異なる一部が、該検出された光ストライプ上の異なる位置に対応し、
−該光の強度を調節するための手段が、該一部の画素によって検出された強度に応じて、該フレームの取得中に強度を調節するように構成される、走査プローブ。
【請求項２】
請求項１に記載の走査プローブ（２）であって、それによって該画像センサがロールシャッターを備えたＣＭＯＳであって：
−異なる時間において異なる一部の該センサ画素が、該フレームの取得中に該ストライプから反射した光を検出するように、該ロールシャッターが構成されており、該異なる一部が、該検出された光ストライプ上の異なる位置に対応する、および
−該一部の画素によって検出された強度に応じて、該ストライプ生成手段（１４）が、該ストライプの長手方向に亘って一定強度のストライプを生成するように構成されており、その全体の強度が該フレームの取得中に調節可能である、走査プローブ。
【請求項３】
該ストライプ生成手段（１４）が、静止光学系（ｓｔａｔｉｃ  ｏｐｔｉｃｓ）を備える、請求項１または２のいずれかに記載の走査プローブ（２）。
【請求項４】
該ストライプ生成手段（１４）が、レーザーおよび中実円筒光学系（ｓｏｌｉｄ  ｃｙｌｉｎｄｒｉｃａｌ  ｏｐｔｉｃｓ）を備える、請求項１〜３のいずれかに記載の走査プローブ（２）。
【請求項５】
該ストライプ生成手段（１４）が、レーザーおよびマイクロミラーアレイを備える、請求項１〜４のいずれかに記載の走査プローブ（２）。
【請求項６】
該光の強度を調節するための手段が、各一部の画素についての該強度を、以下に応じて設定するように配列されている、請求項１〜５のいずれかに記載の走査プローブ（２）：
−少なくとも１つ前に投影された光ストライプについて、該一部における該画素（単数または複数）によって検出された光、および
−少なくとも１つ前に投影された光ストライプにおいて、該一部について発した該光の強度。
【請求項７】
−該ストライプ生成手段（１４）が、単一のフレームの取得中にその個別の強度が調節可能である複数のスポットを備えるストライプ（５５）を生成するように、構成されており、および
−異なる時間において、該異なる一部のセンサ画素が該フレームの取得中に該ストライプから反射した光を検出するように、該スポットが別々に投影され、該異なる一部が、該検出された光ストライプ上の異なる位置に対応し、
−該個別のスポット強度が、該一部の画素によって検出された強度に応じて調節される、請求項１に記載の走査プローブ（２）。
【請求項８】
該ストライプ生成手段（１４）が、レーザーおよびマイクロミラーアレイを備える、請求項７に記載の走査プローブ（２）。
【請求項９】
該ストライプ生成手段（１４）が、可動光学系（ｍｏｖｉｎｇ  ｏｐｔｉｃｓ）を備える、請求項７のいずれかに記載の走査プローブ（２）。
【請求項１０】
該ストライプ生成手段（１４）が、レーザーおよび可動ミラーを備える、請求項９に記載の走査プローブ（２）。
【請求項１１】
該画像センサが、ロールシャッターを備えたＣＭＯＳまたはＣＣＤである、請求項７〜１０のいずれかに記載の走査プローブ（２）。
【請求項１２】
該光の強度を調節するための手段が、各一部の画素について投影されたストライプ内でスポットの強度を、以下に応じて設定するように配列されている、請求項７〜１１のいずれかに記載の走査プローブ（２）：
−該ストライプにおける少なくとも１つ前に投影されたスポットについて、該一部における該画素（単数または複数）によって検出された光、および
−該ストライプにおける少なくとも１つ前に投影されたスポットにおいて、該一部について発した光の強度。
【請求項１３】
該一部について設定された光強度に応じて、該一部の画素についての露光時間を調節するための手段をさらに備える、請求項１〜１２のいずれかに記載の走査プローブ（２）。
【請求項１４】
光ストライプで対象物を照射し、該対象物表面から反射した光を検出することで、該対象物の表面上の複数の点からデータを捕捉する方法が、以下の工程を含む方法であって：
（ａ）光ストライプを生成および発する工程；
（ｂ）画素の配列を備える画像センサを使用して、該対象物表面から反射した該光ストライプを検出する工程、
（ｃ）該画素によって検出された光の強度に応じて、単一のフレームの取得中に該光の強度を調節する工程、
それによって：
−異なる時間において異なる一部の画像センサ画素が、該フレームの取得中に該ストライプから反射した光を検出し、該異なる一部が該検出された光ストライプ上の異なる位置に対応し、各一部における該画素（単数または複数）によって検出された該光を決定し；および
−該光の強度が、該一部の画素による検出の後でおよび検出に応じて調節され、調節は該フレームの取得中に起こる、データを捕捉する方法。
【請求項１５】
異なる時間において異なる一部のセンサ画素が、該フレームの取得中に該ストライプから反射した光を検出可能とするロールシャッターを備えたＣＭＯＳ画像センサを使用して、該ストライプが検出されることにより、該異なる一部が該検出された光ストライプ上の異なる位置に対応し、および
−該ストライプ生成手段が、該ストライプの長手方向に亘って一定強度のストライプを生成し、その全体の強度が単一のフレームの取得中に調節される、請求項１４に記載の方法。
【請求項１６】
該ストライプ生成手段が静止光学系を備える、請求項１５に記載の方法。
【請求項１７】
該ストライプ生成手段が、レーザーおよび中実円筒光学系を備える、請求項１５または１６に記載の方法。
【請求項１８】
該ストライプ生成手段が、レーザーおよびマイクロミラーアレイを備える、請求項１５または１６に記載の方法。
【請求項１９】
各一部の画素について該強度を、以下に応じて設定することにより、該光の強度がさらに調節される、請求項１５〜１８のいずれかに記載の方法：
−少なくとも１つ前に投影された光ストライプについて該一部における画素（単数または複数）によって検出された光、および
−少なくとも１つ前に投影された光ストライプにおいて該一部について発した該光の強度。
【請求項２０】
−単一のフレームの取得中にその個別の強度が調節可能である複数のスポットを備えるストライプを、該ストライプ生成手段が生成し、および
−異なる時間において異なる一部のセンサ画素が、該フレームの取得中に該ストライプから反射した光を検出するように、該スポットが別々に投影され、該異なる一部が、該検出された光ストライプ上の異なる位置に対応し、
−該個別のスポット強度が、該一部の画素によって検出された強度に応じて調節される、請求項１４に記載の方法。
【請求項２１】
該ストライプ生成手段が、レーザーおよびマイクロミラーアレイを備える、請求項２０に記載の方法。
【請求項２２】
該ストライプ生成手段（１４）が、可動光学系を備える、請求項２０に記載の方法。
【請求項２３】
該ストライプ生成手段が、レーザーおよび可動ミラーを備える、請求項２２に記載の方法。
【請求項２４】
該画像センサが、ロールシャッターを備えたＣＭＯＳカメラ、またはＣＣＤである、請求項２０〜２３のいずれかに記載の方法。
【請求項２５】
各一部の画素について投影されたストライプ内で該光の強度を、以下に応じて設定することにより、該光の強度がさらに調節される、請求項２０〜２４に記載の方法：
−該ストライプにおいて少なくとも１つ前に投影されたスポットについて該一部において該画素（単数または複数）によって検出された光、および
−該ストライプにおいて少なくとも１つ前に投影されたスポットにおいて該一部について発した光の出力。
【請求項２６】
該一部について設定された該光出力に応じて、該一部の画素について該露光時間を調節することをさらに備える、請求項１４〜２５のいずれかに記載の方法。
【請求項２７】
光ストライプで対象物を照射し、かつ該対象物表面から反射した光を検出することにより、該対象物の表面上の複数の点からデータを捕捉するための走査プローブであって、以下を備える走査プローブ：
（ａ）光ストライプを生成するためのストライプ生成手段；
（ｂ）該対象物表面から反射した光ストライプを検出するための画像センサ；および
（ｃ）該ストライプ生成手段によって生成された光ストライプが発せられる開口であって、該開口がその異なる幅に設定されるとき、異なる長さの光ストライプが生成されるように、該光ストライプが通過しなければならない第１の幅の開口および第２の幅の開口を提供するように変更できる開口。
【請求項２８】
該開口が、非円形状であり、該第１および第２の幅の開口を提供するために該光ストライプに対する回転により変更できる、請求項２７に記載の走査プローブ。
【請求項２９】
該開口が手動で変更できる、請求項２７または２８に記載の走査装置。
【請求項３０】
該開口が該第１の幅かまたは該第２の幅のいずれかに設定されていることを検出するための手段；および
該決定された幅に応じて、該画像センサの検出フレームレートを設定するための手段、
をさらに備える、請求項２９に記載の走査装置。
【請求項３１】
ユーザー入力指示に応答して、該開口を変更するための手段をさらに備える、請求項２７または２８に記載の走査装置。
【請求項３２】
該ユーザー入力指示に応じて、該画像センサの検出フレームレートを設定するための手段をさらに備える、請求項３１に記載の走査装置。
【請求項３３】
対象物を光で照射し、該対象物表面から反射した光を検出することで、該対象物の表面の複数の点からデータを捕捉するための走査プローブであって、以下を備える走査プローブ：
（ａ）光を生成および発するための光生成手段；
（ｂ）該対象物表面から反射した光を検出するための画像センサ；および
（ｃ）該画像センサからの信号を処理するように作動可能であるデータ処理手段；
であって、該光生成手段および該画像センサから隔離された区分室に設置されているデータ処理手段。
【請求項３４】
該画像センサおよび該データ処理手段が第１の筐体に設置され、該光生成手段が隔離された第２の筐体に設置され、該第１および第２の筐体は共に堅固に接続されている、請求項３３に記載の走査プローブ。
【請求項３５】
該データ処理手段を該画像センサから熱的に絶縁する高い熱耐性を有する障壁によって、該データ処理手段の区分室が該画像センサから隔離されている、請求項３４に記載の走査プローブ。
【請求項３６】
該光生成手段、該画像センサ、および該データ処理手段が、単一の筐体に設置されており、該光生成手段および該画像センサから、該データ処理手段を熱的に絶縁するため、高い熱耐性を有する障壁によって、該データ処理手段の区分室が、該光生成手段および該画像センサから隔離されている、請求項３４に記載の走査プローブ。
【請求項３７】
該データ処理手段を含む該区分室が、空気入口、空気出口、ならびに該空気入口を介して該区分室に空気を引き、および該空気出口を介して該区分室から空気を出すために配置されたファンを有する、請求項３４〜３６のいずれかに記載の走査プローブ。
【請求項３８】
対象物を光で照射し、該対象物表面から反射した光を検出することで、該対象物の表面上の複数の点からデータを捕捉するための走査プローブであって、以下を備える走査プローブ：
（ａ）光を生成および発するための光生成手段；
（ｂ）撮像ウィンドウを介して、該対象物表面から反射した光を検出するための複数の画素を有する画像センサ；および
（ｃ）バイザーが該撮像ウィンドウをカバーする閉位置およびバイザーが該撮像ウィンドウをカバーしない開位置の間で移動可能であるバイザー。
【請求項３９】
該バイザーが該閉位置にあるときに検出するための手段および該バイザーが該閉位置にあることが検出されるとき該プローブの動作を抑制するための手段をさらに備える、請求項３８に記載の走査プローブ。
【請求項４０】
該バイザーが該閉位置にあるときに検出するための手段および該バイザーが該閉位置にあることが検出されるとき該ユーザーに警告するための手段をさらに備える、請求項３８に記載の走査プローブ。
【請求項４１】
それぞれ該開位置および該閉位置において該バイザーをロックするための手段をさらに備える、請求項３８〜４０のいずれかに記載の走査プローブ。
【国際調査報告】
2009534969.tif 000017
2009534969.tif 000018
2009534969.tif 000019
2009534969.tif 000020
2009534969.tif 000021
2009534969.tif 000022